(57)【特許請求の範囲】
【請求項１】
自己の現在位置を特定する現在位置特定手段と、
画像データを取得する画像データ取得手段と、
画像データと、当該画像データを前記画像データ取得手段にて取得した時に前記現在位置特定手段にて特定された自己の現在位置である位置情報とを関連付けて記憶する画像データ記憶手段と、
前記画像データ記憶手段にて記憶されている位置情報に係る位置と、前記現在位置特定手段にて特定した現在位置との間の関連性を評価する関連性評価手段と、
前記画像データ記憶手段にて記憶されている位置情報のうち、前記関連性評価手段にて算出される関連性がもっとも高い位置情報に関連付けられている画像データを特定する画像データ特定手段と、
前記画像データ特定手段にて特定された画像データを待ち受け画像として表示する待ち受け画像表示手段と
を備えることを特徴とする携帯電話機。
【請求項２】
前記関連性評価手段は、前記画像データ記憶手段にて記憶されている位置情報に係る位置と、前記現在位置特定手段にて特定した現在位置との間の距離を算出し、
前記画像データ特定手段は、前記関連性評価手段にて算出される距離がもっとも小さいときに、関連性がもっとも高いと判定する
ことを特徴とする請求項１に記載の携帯電話機。
【請求項３】
前記関連性評価手段は、前記画像データ記憶手段にて記憶されている位置情報と、前記現在位置特定手段にて特定した現在位置とが合致するか否かを判定することによって関連性を評価し、
前記画像データ特定手段は、前記画像データ記憶手段にて記憶されている位置情報と、前記現在位置特定手段にて特定した現在位置とが合致すると前記関連性評価手段にて判定したときに、関連性がもっとも高いと判定する
ことを特徴とする請求項１に記載の携帯電話機。
【請求項４】
撮像によって画像データを生成する撮像手段を備え、
前記画像データ記憶手段は、前記撮像手段にて生成された画像データと、当該画像データが生成されたときに前記現在位置特定手段にて特定された現在位置とを、関連付けて記憶する
ことを特徴とする請求項１に記載の携帯電話機。
【請求項５】
携帯電話機の起動時において、
前記現在位置特定手段に、自己の現在位置を特定させ、
前記関連性評価手段に、前記画像データ記憶手段にて記憶されている位置情報に係る位置と、前記現在位置特定手段にて特定した現在位置との間の関連性を評価させ、
前記画像データ特定手段に、前記画像データ記憶手段にて記憶されている位置情報のうち、前記関連性評価手段にて算出される関連性がもっとも高い位置情報に関連付けられている画像データを特定させ、
前記待ち受け画像表示手段に、前記画像データ特定手段にて特定された画像データを表示させる初期画像表示手段
を備えることを特徴とする請求項２に記載の携帯電話機。
【請求項６】
所定の時間を経過する毎に、
前記現在位置特定手段に、自己の現在位置を特定させ、
前記関連性評価手段に、前記画像データ記憶手段にて記憶されている位置情報に係る位置と、前記現在位置特定手段にて特定した現在位置との間の関連性を評価させ、
前記画像データ特定手段に、前記画像データ記憶手段にて記憶されている位置情報のうち、前記関連性評価手段にて算出される関連性がもっとも高い位置情報に関連付けられている画像データを特定させ、
前記待ち受け画像表示手段に、前記画像データ特定手段にて特定された画像データを表示させる画像表示更新手段
を備えることを特徴とする請求項２に記載の携帯電話機。
【請求項７】
前記所定の時間は、予め設定された時間長である
ことを特徴とする請求項６に記載の携帯電話機。
【請求項８】
前記所定の時間は、乱数によって決定される
ことを特徴とする請求項６に記載の携帯電話機。
【請求項９】
前記待ち受け画像表示手段は、前記画像データ特定手段にて特定された画像データを表示する際に、併せて、前記関連性評価手段にて算出した距離を表示する
ことを特徴とする請求項２に記載の携帯電話機。
【請求項１０】
前記現在位置特定手段にて特定した自己の現在位置から、前記待ち受け画像表示手段にて表示している画像データに関連付けて、前記データ記憶手段が記憶している位置情報が表わす位置に向かう方向を特定する方向特定手段と、
前記方向特定手段にて特定された方向を表示する方向表示手段と
を備えることを特徴とする請求項２に記載の携帯電話機。
【請求項１１】
携帯電話機に接続された外部記憶装置から、画像データを取得して、前記画像データ記憶手段に記憶させる外部記憶接続手段
を備えることを特徴とする請求項２に記載の携帯電話機。
【請求項１２】
前記外部記憶接続手段は、前記外部記憶装置から画像データを取得する際に、併せて、当該画像データに関連付けられた位置情報を取得して、前記画像データ記憶手段に記憶させる
ことを特徴とする請求項１１に記載の携帯電話機。
【請求項１３】
前記外部記憶装置は、電気通信回線を介して、携帯電話機に接続されている
ことを特徴とする請求項１１に記載の携帯電話機。
【請求項１４】
前記外部記憶装置は、画像データを提供するサーバ装置である
ことを特徴とする請求項１３に記載の携帯電話機。
【請求項１５】
自己の現在位置を特定する現在位置特定手段と、
画像データを取得する画像データ取得手段と、
画像データと、当該画像データを前記画像データ取得手段にて取得した時に前記現在位置特定手段にて特定された自己の現在位置である位置情報とを関連付けて記憶する画像データ記憶手段と、
前記画像データ記憶手段にて記憶されている画像データの指定を受け付ける画像データ指定手段と、
前記画像データ指定手段にて指定を受け付けた画像データに関連付けて、前記データ記憶手段が記憶している位置情報が表わす位置と、前記現在位置特定手段にて特定した現在位置との間の距離を算出する距離算出手段と、
前記現在位置特定手段にて特定した自己の現在位置から、前記画像データ指定手段にて指定を受け付けた画像データに関連付けて、前記データ記憶手段が記憶している位置情報が表わす位置に向かう方向を特定する方向特定手段と、
前記画像データ指定手段にて指定を受け付けた画像データを待ち受け画像として表示する待ち受け画像表示手段と
前記距離算出手段にて算出された距離を表示する距離表示手段と、
前記方向特定手段にて特定された方向を表示する方向表示手段と
を備えることを特徴とする携帯電話機。
【請求項１６】
自己の現在位置を特定する現在位置特定ステップと、
画像データを取得する画像データ取得ステップと、
画像データと、当該画像データを前記画像データ取得ステップにて取得した時に前記現在位置特定ステップにて特定された自己の現在位置である位置情報とを関連付けて記憶する画像データ記憶ステップと、
前記画像データ記憶ステップにて記憶した位置情報に係る位置と、前記現在位置特定ステップにて特定した現在位置との間の関連性を評価する関連性評価ステップと、
前記画像データ記憶ステップにて記憶した位置情報のうち、前記関連性評価ステップにて関連性がもっとも高いと評価される位置情報に関連付けられている画像データを特定する画像データ特定ステップと、
前記画像データ特定ステップにて特定された画像データを待ち受け画像として表示する待ち受け画像表示ステップと
を含むことを特徴とする待ち受け画像表示方法。
【請求項１７】
前記関連性評価ステップは、前記画像データ記憶ステップにて記憶した位置情報に係る位置と、前記現在位置特定ステップにて特定した現在位置との間の距離を算出し、
前記画像データ特定ステップは、前記関連性評価ステップにて算出される距離がもっとも小さいときに、関連性がもっとも高いと判定する
ことを特徴とする請求項１６に記載の待ち受け画像表示方法。
【請求項１８】
前記関連性評価ステップは、前記画像データ記憶手段にて記憶した位置情報と、前記現在位置特定手段にて特定した現在位置とが合致するか否かを判定することによって前記関連性を評価し、
前記画像データ特定ステップは、前記画像データ記憶ステップにて記憶した位置情報と、前記現在位置特定ステップにて特定した現在位置とが合致すると前記関連性評価ステップにて判定したときに、関連性がもっとも高いと判定する
ことを特徴とする請求項１６に記載の待ち受け画像表示方法。
【請求項１９】
撮像によって画像データを生成する撮像ステップを含み、
前記画像データ記憶ステップは、前記撮像ステップにて生成された画像データと、当該画像データが生成されたときに前記現在位置特定ステップにて特定された現在位置とを、関連付けて記憶する
ことを特徴とする請求項１６に記載の待ち受け画像表示方法。
【請求項２０】
起動時において、
前記現在位置特定ステップに、自己の現在位置を特定させ、
前記関連性評価ステップに、前記画像データ記憶ステップにて記憶した位置情報に係る位置と、前記現在位置特定ステップにて特定した現在位置との間の関連性を評価させ、
前記画像データ特定ステップに、前記画像データ記憶ステップにて記憶した位置情報のうち、前記関連性評価ステップにて関連性がもっとも高いと評価される位置情報に関連付けられている画像データを特定させ、
前記待ち受け画像表示ステップに、前記画像データ特定ステップにて特定された画像データを表示させる初期画像表示ステップ
を含むことを特徴とする請求項１６に記載の待ち受け画像表示方法。
【請求項２１】
所定の時間を経過する毎に、
前記現在位置特定ステップに、自己の現在位置を特定させ、
前記関連性評価ステップに、前記画像データ記憶ステップにて記憶した位置情報に係る位置と、前記現在位置特定ステップにて特定した現在位置との間の関連性を評価させ、
前記画像データ特定ステップに、前記画像データ記憶ステップにて記憶した位置情報のうち、前記関連性評価ステップにて関連性がもっとも高いと評価される位置情報に関連付けられている画像データを特定させ、
前記待ち受け画像表示ステップに、前記画像データ特定ステップにて特定された画像データを表示させる画像表示更新ステップ
を含むことを特徴とする請求項１６に記載の待ち受け画像表示方法。
【請求項２２】
前記所定の時間は、予め設定された時間長である
ことを特徴とする請求項２１に記載の待ち受け画像表示方法。
【請求項２３】
前記所定の時間は、乱数によって決定される
ことを特徴とする請求項２１に記載の待ち受け画像表示方法。
【請求項２４】
前記待ち受け画像表示ステップは、前記画像データ特定ステップにて特定された画像データを表示する際に、併せて、前記関連性評価ステップにて算出した距離を表示する
ことを特徴とする請求項１７に記載の待ち受け画像表示方法。
【請求項２５】
前記現在位置特定ステップにて特定した自己の現在位置から、前記待ち受け画像表示ステップにて表示している画像データに関連付けて、前記データ記憶ステップが記憶している位置情報が表わす位置に向かう方向を特定する方向特定ステップと、
前記方向特定ステップにて特定された方向を表示する方向表示ステップと
を含むことを特徴とする請求項１６に記載の待ち受け画像表示方法。
【請求項２６】
外部記憶装置から、画像データを取得して、前記画像データ記憶ステップに記憶させる外部記憶接続ステップ
を含むことを特徴とする請求項１６に記載の待ち受け画像表示方法。
【請求項２７】
前記外部記憶接続ステップは、前記外部記憶装置から画像データを取得する際に、併せて、当該画像データに関連付けられた位置情報を取得して、前記画像データ記憶ステップに記憶させる
ことを特徴とする請求項２６に記載の待ち受け画像表示方法。
【請求項２８】
自己の現在位置を特定する現在位置特定ステップと、
画像データを取得する画像データ取得ステップと、
画像データと、当該画像データを前記画像データ取得手段にて取得した時に前記現在位置特定手段にて特定された自己の現在位置である位置情報とを関連付けて記憶する画像データ記憶ステップと、
前記画像データ記憶ステップにて記憶した画像データの指定を受け付ける画像データ指定ステップと、
前記画像データ指定ステップにて指定を受け付けた画像データに関連付けて、前記データ記憶ステップにて記憶した位置情報が表わす位置と、前記現在位置特定ステップにて特定した現在位置との間の距離を算出する距離算出ステップと、
前記現在位置特定ステップにて特定した自己の現在位置から、前記画像データ指定ステップにて指定を受け付けた画像データに関連付けて、前記データ記憶ステップにて記憶した位置情報が表わす位置に向かう方向を特定する方向特定ステップと、
前記画像データ指定ステップにて指定を受け付けた画像データを待ち受け画像として表示する待ち受け画像表示ステップと
前記距離算出ステップにて算出された距離を表示する距離表示ステップと、
前記方向特定ステップにて特定された方向を表示する方向表示ステップと
を備えることを特徴とする待ち受け画像表示方法。
【発明の詳細な説明】
【０００１】
【発明の属する技術分野】
本願発明は携帯電話機に関し、特に、携帯電話機にて待ち受け画像を表示する方法の改善に関する。
【０００２】
【従来の技術】
近年、携帯電話機が急速に普及し、今や誰もが使う国民的な電気機器となっている。そして、携帯電話機を使用しない場合には待ち受け画像を表示させることが一種のファッションとなっている。しかし、このファッションには技術的側面の寄与が極めて大きく、より魅力的な待ち受け画像表示機能を搭載できるか否かによって、携帯電話機の売上が左右されるほどである。このため、待ち受け画像表示に関する様々な技術開発が進められている。
【０００３】
例えば、同じ待ち受け画像を表示し続けるとユーザが飽きてしまうので、表示させる待ち受け画像の選択を、乱数を用いて行うといった技術が開発されている（特許文献１を参照。）。また、例えば、携帯電話機を起動するたびに異なる待ち受け画像を表示させるといった技術も開発されている。
【０００４】
【特許文献１】
特開２０００−３０８０３２号公報
【０００５】
【発明が解決しようとする課題】
しかしながら、携帯電話機に記録されている画像を待ち受け画像として、何の脈絡もなく無闇に表示させたところで、最初は多少目を引くかもしれないが、ユーザにとって面白みが少ないため、すぐに印象が薄れて飽きがきてしまう、という問題がある。
【０００６】
本願発明は、上記のような問題に鑑みて為されたものであって、ユーザにとってより有意義な、従って、飽きのこない待ち受け画像を表示する携帯電話機、および、飽きのこない待ち受け画像を携帯電話機に表示させる待ち受け画像表示方法を提供することを目的とする。
【０００７】
【課題を解決するための手段】
上記目的を達成するため、本願発明に係る携帯電話機は、画像データと位置情報とを関連付けて記憶する画像データ記憶手段と、自己の現在位置を特定する現在位置特定手段と、前記画像データ記憶手段にて記憶されている位置情報に係る位置と、前記現在位置特定手段にて特定した現在位置との間の関連性を評価する関連性評価手段と、前記画像データ記憶手段にて記憶されている位置情報のうち、前記関連性評価手段にて算出される関連性がもっとも高い位置情報に関連付けられている画像データを特定する画像データ特定手段と、前記画像データ特定手段にて特定された画像データを待ち受け画像として表示する待ち受け画像表示手段とを備えることを特徴とする。
【０００８】
このようにすれば、ユーザにとってより有意義な、従って、飽きのこない待ち受け画像を表示する携帯電話機を提供することができる。
また、本願発明に係る携帯電話機は、前記関連性評価手段が、前記画像データ記憶手段にて記憶されている位置情報に係る位置と、前記現在位置特定手段にて特定した現在位置との間の距離を算出し、前記画像データ特定手段が、前記関連性評価手段にて算出される距離がもっとも小さいときに、関連性がもっとも高いと判定することを特徴とする。
【０００９】
また、本願発明に係る携帯電話機は、前記関連性評価手段が、前記画像データ記憶手段にて記憶されている位置情報と、前記現在位置特定手段にて特定した現在位置とが合致するか否かを判定することによって関連性を評価し、前記画像データ特定手段が、前記画像データ記憶手段にて記憶されている位置情報と、前記現在位置特定手段にて特定した現在位置とが合致すると前記関連性評価手段にて判定したときに、関連性がもっとも高いと判定することを特徴とする。
【００１０】
なお、ここで、前記画像データ記憶手段にて記憶されている位置情報と、前記現在位置特定手段にて特定した現在位置とが合致するとは、前記画像データ記憶手段にて記憶されている位置情報が当該携帯電話機が通信するための基地局エリアを示し、前記位置特定手段が当該携帯電話機が現在存在している基地局エリアを現在位置として特定する場合に、これら２つの基地局エリアが一致することを言う。
【００１１】
また、本願発明に係る携帯電話機は、撮像によって画像データを生成する撮像手段を備え、前記画像データ記憶手段が、前記撮像手段にて生成された画像データと、当該画像データが生成されたときに前記現在位置特定手段にて特定された現在位置とを、関連付けて記憶することを特徴とする。
また、本願発明に係る携帯電話機は、起動時において、前記現在位置特定手段に、自己の現在位置を特定させ、前記関連性評価手段に、前記画像データ記憶手段にて記憶されている位置情報に係る位置と、前記現在位置特定手段にて特定した現在位置との間の関連性を評価させ、前記画像データ特定手段に、前記画像データ記憶手段にて記憶されている位置情報のうち、前記関連性評価手段にて算出される関連性がもっとも高い位置情報に関連付けられている画像データを特定させ、前記待ち受け画像表示手段に、前記画像データ特定手段にて特定された画像データを表示させる初期画像表示手段を備えることを特徴とする。
【００１２】
また、本願発明に係る携帯電話機は、所定の時間を経過する毎に、前記現在位置特定手段に、自己の現在位置を特定させ、前記関連性評価手段に、前記画像データ記憶手段にて記憶されている位置情報に係る位置と、前記現在位置特定手段にて特定した現在位置との間の関連性を評価させ、前記画像データ特定手段に、前記画像データ記憶手段にて記憶されている位置情報のうち、前記関連性評価手段にて算出される関連性がもっとも高い位置情報に関連付けられている画像データを特定させ、前記待ち受け画像表示手段に、前記画像データ特定手段にて特定された画像データを表示させる画像表示更新手段を備えることを特徴とする。
【００１３】
また、本願発明に係る携帯電話機は、前記所定の時間が、予め設定された時間長であることを特徴とする。
また、本願発明に係る携帯電話機は、前記所定の時間が、乱数によって決定されることを特徴とする。
また、本願発明に係る携帯電話機は、前記待ち受け画像表示手段が、前記画像データ特定手段にて特定された画像データを表示する際に、併せて、前記関連性評価手段にて算出した距離を表示することを特徴とする。
【００１４】
また、本願発明に係る携帯電話機は、前記現在位置特定手段にて特定した自己の現在位置から、前記待ち受け画像表示手段にて表示している画像データに関連付けて、前記データ記憶手段が記憶している位置情報が表わす位置に向かう方向を特定する方向特定手段と、前記方向特定手段にて特定された方向を表示する方向表示手段とを備えることを特徴とする。
【００１５】
また、本願発明に係る携帯電話機は、携帯電話機に接続された外部記憶装置から、画像データを取得して、前記画像データ記憶手段に記憶させる外部記憶接続手段を備えることを特徴とする。
また、本願発明に係る携帯電話機は、前記外部記憶接続手段が、前記外部記憶装置から画像データを取得する際に、併せて、当該画像データに関連付けられた位置情報を取得して、前記画像データ記憶手段に記憶させることを特徴とする。
【００１６】
また、本願発明に係る携帯電話機は、前記外部記憶装置が、電気通信回線を介して、携帯電話機に接続されていることを特徴とする。
また、本願発明に係る携帯電話機は、前記外部記憶装置が、画像データを提供するサーバ装置であることを特徴とする。
また、本願発明に係る携帯電話機は、画像データと位置情報とを関連付けて記憶する画像データ記憶手段と、前記画像データ記憶手段にて記憶されている画像データの指定を受け付ける画像データ指定手段と、自己の現在位置を特定する現在位置特定手段と、前記画像データ指定手段にて指定を受け付けた画像データに関連付けて、前記データ記憶手段が記憶している位置情報が表わす位置と、前記現在位置特定手段にて特定した現在位置との間の距離を算出する距離算出手段と、前記現在位置特定手段にて特定した自己の現在位置から、前記画像データ指定手段にて指定を受け付けた画像データに関連付けて、前記データ記憶手段が記憶している位置情報が表わす位置に向かう方向を特定する方向特定手段と、前記画像データ指定手段にて指定を受け付けた画像データを待ち受け画像として表示する待ち受け画像表示手段と前記距離算出手段にて算出された距離を表示する距離表示手段と、前記方向特定手段にて特定された方向を表示する方向表示手段とを備えることを特徴とする。
【００１７】
また、上記目的を達成するため、本願発明に係る待ち受け画像表示方法は、画像データと位置情報とを関連付けて記憶する画像データ記憶ステップと、自己の現在位置を特定する現在位置特定ステップと、前記画像データ記憶ステップにて記憶されている位置情報に係る位置と、前記現在位置特定ステップにて特定した現在位置との間の関連性を評価する関連性評価ステップと、前記画像データ記憶ステップにて記憶した位置情報のうち、前記関連性評価ステップにて関連性がもっとも高いと評価される位置情報に関連付けられている画像データを特定する画像データ特定ステップと、前記画像データ特定ステップにて特定された画像データを待ち受け画像として表示する待ち受け画像表示ステップとを含むことを特徴とする。
【００１８】
このようにすれば、ユーザにとってより有意義な、従って、飽きのこない待ち受け画像を携帯電話機に表示させる待ち受け画像表示方法を提供することができる。
また、本願発明に係る待ち受け画像表示方法は、前記関連性評価ステップが、前記画像データ記憶ステップにて記憶した位置情報に係る位置と、前記現在位置特定ステップにて特定した現在位置との間の距離を算出し、前記画像データ特定ステップが、前記関連性評価ステップにて算出される距離がもっとも小さいときに、関連性がもっとも高いと判定することを特徴とする。
【００１９】
また、本願発明に係る待ち受け画像表示方法は、前記関連性評価ステップは、前記画像データ記憶手段にて記憶した位置情報と、前記現在位置特定手段にて特定した現在位置とが合致するか否かを判定することによって前記関連性を評価し、前記画像データ特定ステップは、前記画像データ記憶ステップにて記憶した位置情報と、前記現在位置特定ステップにて特定した現在位置とが合致すると前記関連性評価ステップにて判定したときに、関連性がもっとも高いと判定することを特徴とする。
【００２０】
また、本願発明に係る待ち受け画像表示方法は、撮像によって画像データを生成する撮像ステップを含み、前記画像データ記憶ステップは、前記撮像ステップにて生成された画像データと、当該画像データが生成されたときに前記現在位置特定ステップにて特定された現在位置とを、関連付けて記憶することを特徴とする。
【００２１】
また、本願発明に係る待ち受け画像表示方法は、起動時において、前記現在位置特定ステップに、自己の現在位置を特定させ、前記関連性評価ステップに、前記画像データ記憶ステップにて記憶した位置情報に係る位置と、前記現在位置特定ステップにて特定した現在位置との間の関連性を評価させ、前記画像データ特定ステップに、前記画像データ記憶ステップにて記憶した位置情報のうち、前記関連性評価ステップにて関連性がもっとも高いと評価される位置情報に関連付けられている画像データを特定させ、前記待ち受け画像表示ステップに、前記画像データ特定ステップにて特定された画像データを表示させる初期画像表示ステップを含むことを特徴とする。
【００２２】
また、本願発明に係る待ち受け画像表示方法は、所定の時間を経過する毎に、前記現在位置特定ステップに、自己の現在位置を特定させ、前記関連性評価ステップに、前記画像データ記憶ステップにて記憶した位置情報に係る位置と、前記現在位置特定ステップにて特定した現在位置との間の関連性を評価させ、前記画像データ特定ステップに、前記画像データ記憶ステップにて記憶した位置情報のうち、前記関連性評価ステップにて関連性がもっとも高いと評価される位置情報に関連付けられている画像データを特定させ、前記待ち受け画像表示ステップに、前記画像データ特定ステップにて特定された画像データを表示させる画像表示更新ステップを含むことを特徴とする。
【００２３】
また、本願発明に係る待ち受け画像表示方法は、前記所定の時間が、予め設定された時間長であることを特徴とする。
また、本願発明に係る待ち受け画像表示方法は、前記所定の時間が、乱数によって決定されることを特徴とする。
また、本願発明に係る待ち受け画像表示方法は、前記待ち受け画像表示ステップが、前記画像データ特定ステップにて特定された画像データを表示する際に、併せて、前記関連性評価ステップにて算出した距離を表示することを特徴とする。
【００２４】
また、本願発明に係る待ち受け画像表示方法は、前記現在位置特定ステップにて特定した自己の現在位置から、前記待ち受け画像表示ステップにて表示している画像データに関連付けて、前記データ記憶ステップが記憶している位置情報が表わす位置に向かう方向を特定する方向特定ステップと、前記方向特定ステップにて特定された方向を表示する方向表示ステップとを含むことを特徴とする。
【００２５】
また、本願発明に係る待ち受け画像表示方法は、外部記憶装置から、画像データを取得して、前記画像データ記憶ステップに記憶させる外部記憶接続ステップを含むことを特徴とする。
また、本願発明に係る待ち受け画像表示方法は、前記外部記憶接続ステップが、前記外部記憶装置から画像データを取得する際に、併せて、当該画像データに関連付けられた位置情報を取得して、前記画像データ記憶ステップに記憶させることを特徴とする。
【００２６】
また、本願発明に係る待ち受け画像表示方法は、画像データと位置情報とを関連付けて記憶する画像データ記憶ステップと、前記画像データ記憶ステップにて記憶した画像データの指定を受け付ける画像データ指定ステップと、自己の現在位置を特定する現在位置特定ステップと、前記画像データ指定ステップにて指定を受け付けた画像データに関連付けて、前記データ記憶ステップにて記憶した位置情報が表わす位置と、前記現在位置特定ステップにて特定した現在位置との間の距離を算出する距離算出ステップと、前記現在位置特定ステップにて特定した自己の現在位置から、前記画像データ指定ステップにて指定を受け付けた画像データに関連付けて、前記データ記憶ステップにて記憶した位置情報が表わす位置に向かう方向を特定する方向特定ステップと、前記画像データ指定ステップにて指定を受け付けた画像データを待ち受け画像として表示する待ち受け画像表示ステップと前記距離算出ステップにて算出された距離を表示する距離表示ステップと、前記方向特定ステップにて特定された方向を表示する方向表示ステップとを備えることを特徴とする。
【００２７】
【発明の実施の形態】
以下、本願発明に係る携帯電話機、および、待ち受け画像表示方法の実施の形態について、図面を参照しながら説明する。
［１］  第１の実施の形態
［１−１］  機能構成
図１は、本願発明の第１の実施の形態に係る携帯電話機について、待ち受け画像の表示に係る主要な機能構成を示す機能ブロック図である。
【００２８】
図１に示されるように携帯電話機１は、タイマー１００、切り替え指示部１０１、位置情報取得部１０２、待ち受け画像検索部１０３、距離算出部１０４、待ち受け画像記憶部１０５、待ち受け画像表示部１０６、および、液晶ディスプレイパネル１０７を備えている。
切り替え指示部１０１は、先ず、タイマー１００にタイマー値を設定する。このタイマー値は、当該タイマー値に相当する時間が経過したことをタイマー１００から切り替え指示部１０１に通知させるための値である。このタイマー値として、予め決定された固定値を用いるとしても良いし、携帯電話機１のユーザが指定した値を用いるとしても良い。
【００２９】
ユーザにタイマー値を指定させる方法としては、例えば、携帯電話機１では種々の機能をユーザに使用させるためにメニュー画面を表示する機能を備えているのが一般的であるので、先ず、このメニュー画面にタイマー値を設定させるための項目を表示させる。そして、メニュー画面において当該項目が選択されると、タイマー値を設定させる画面を表示する。
【００３０】
そして、当該画面を用いて、ユーザからタイマー値の設定を受け付ける。この場合において、ユーザから秒単位でタイマー値の設定を受け付けるとしても良いし、分単位でタイマー値の設定を受け付けるとしても良い。また、時間単位でタイマー値の設定を受け付けるとしても良い。
携帯電話機１は、ユーザに電話番号を入力させるために必ずテンキーを備えている。このテンキーを利用して、ユーザにタイマー値を設定させるとすれば好適である。
【００３１】
さて、切り替え指示部１０１は、設定したタイマー値に相当する時間が経過した旨の通知をタイマー１００から受け付けると、位置情報取得部１０２に対して、待ち受け画像表示を更新せよとの指示を送る。そして、当該指示を送った後、切り替え指示部１０１は、前記タイマー値をタイマー１００に設定する。
ここで、切り替え指示部１０１が位置情報取得部１０２に対して待ち受け画像表示を更新せよとの指示を送るのは、前記タイマー値をタイマー１００に設定した後であるとしても良い。
【００３２】
位置情報取得部１０２は、携帯電話機１の所在を全地球測位システム（GPS： global positioning system）を用いて計測する機能ブロックである。位置情報取得部１０２は、切り替え指示部１０１から待ち受け画像表示を更新せよとの指示を受け付けると、携帯電話機１に内蔵されているＧＰＳモジュールを用いて、携帯電話機１の現在位置を表わす緯度、経度、高度、および、現在時刻を取得する。
【００３３】
なお、現在位置の緯度、経度はＷＧＳ８４（world geodetic system 1984）測地系による。位置情報取得部１０２は、ＧＰＳモジュールを用いて取得した緯度と経度とを待ち受け画像検索部１０３に出力する。
待ち受け画像検索部１０３は、位置情報取得部１０２から携帯電話機１の現在位置を表わす緯度と経度とを受け付けると、待ち受け画像記憶部１０５に記憶されている待ち受け画像のうち、当該緯度と経度とによって表わされる現在位置にもっとも関連の深い待ち受け画像を検索する。待ち受け画像検索部１０３は、現在位置と待ち受け画像との関連の深さを次のように判定する。
【００３４】
すなわち、本実施の形態においては、待ち受け画像記憶部１０５が、待ち受け画像に加えて、各待ち受け画像に緯度と経度とを関連付けて記憶している。待ち受け画像検索部１０３は、先ず、待ち受け画像記憶部１０５に記憶されている緯度と経度とを読み出して、これと現在位置を表わす緯度と経度とを距離算出部１０４に出力する。
【００３５】
距離算出部１０４は、待ち受け画像検索部１０３から、待ち受け画像記憶部１０５に記憶されている待ち受け画像に関連付けられている緯度と経度、並びに、携帯電話機１の現在位置を表わす緯度と経度とを受け付けると、これら２組の緯度と経度とによって表わされる２つの位置の間の距離を算出する。そして、距離算出部１０４は、算出した距離を待ち受け画像検索部１０３に返信する。
【００３６】
待ち受け画像検索部１０３は、待ち受け画像記憶部１０５に記憶されている待ち受け画像のすべてについて、上述のようにして距離算出部１０４に距離を算出させる。そして、距離算出部１０４から受け付けた距離のうち、もっとも小さい距離を得た緯度と経度とに係る待ち受け画像を決定する。
つまり、待ち受け画像検索部１０３は、現在位置を表わす緯度および経度と、それに関連付けられている緯度および経度から算出される距離が最も小さい待ち受け画像を現在位置に最も関連の深い待ち受け画像と判定する。
【００３７】
待ち受け画像検索部１０３は、現在位置に最も関連深い待ち受け画像を決定すると、当該待ち受け画像を待ち受け画像記憶部１０５から読み出す。そして、待ち受け画像検索部１０３は、待ち受け画像記憶部１０５から読み出した待ち受け画像を待ち受け画像表示部１０６に渡して、当該待ち受け画像を表示するように指示する。
【００３８】
本実施の形態においては、待ち受け画像記憶部１０５は、待ち受け画像データをデータ圧縮した状態で記憶している。待ち受け画像検索部１０３は、データ圧縮された状態で待ち受け画像データを待ち受け画像記憶部１０５から読み出す。そして、待ち受け画像データをデータ圧縮した状態のまま、待ち受け画像表示部１０６に渡す。なお、このデータ圧縮は、公知のデータ圧縮アルゴリズムを用いて行なえば良い。
【００３９】
待ち受け画像表示部１０６は、待ち受け画像検索部１０３から待ち受け画像データを受け付けると、先ず、これを伸張して、データ圧縮されている状態からデータ圧縮される前の状態に変換する。
そして、待ち受け画像表示部１０６は、データ圧縮される前の状態に変換された待ち受け画像を液晶ディスプレイパネル１０７に表示させる。なお、ここで、前記待ち受け画像検索部１０３は、待ち受け画像記憶部１０５から待ち受け画像を読み出すのに代えて、液晶ディスプレイパネル１０７に表示すべき待ち受け画像が記憶されているアドレスを読み出すとしても良い。
【００４０】
このように、待ち受け画像記憶部１０５から待ち受け画像が記憶されているアドレスを読み出すとすれば、当該アドレスを待ち受け画像表示部１０６に通知して、その表示を指示することができるので、携帯電話機１の内部におけるデータの転送量を低減し、処理負荷を低減し、処理時間を短縮し、更に、内部メモリの消費量を削減することができる。
【００４１】
この場合において、待ち受け画像表示部１０６は、待ち受け画像検索部１０３から通知されたアドレスを参照して、待ち受け画像記憶部１０５に記憶されている待ち受け画像を読み出した後、読み出した待ち受け画像を液晶ディスプレイパネル１０７に表示させることができる。
［１−２］  データ構造
次に、前記待ち受け画像記憶部１０５が待ち受け画像、並びに、待ち受け画像に関連付けられている緯度および経度を記憶するために採用しているデータ構造の典型例について説明する。
【００４２】
図２は、本実施の形態に係る待ち受け画像記憶部１０５が待ち受け画像、並びに待ち受け画像に係る緯度、経度を記憶するためのデータ構造を示す図である。図２（ａ）に示されるように、待ち受け画像記憶部１０５が採用しているデータ構造は、ヘッダ部２０とデータ部２１からなっており、データ部２１に待ち受け画像の画像データが格納される。
【００４３】
また、ヘッダ部２０は、待ち受け画像サイズフィールド２００、緯度フィールド２０１、経度フィールド２０２、および、ネクスト・ポインタ・フィールド２０３という４つのフィールドに分かれている。
待ち受け画像サイズフィールド２００は、データ部２１に格納されている待ち受け画像データのデータ長をバイト単位で表わす数値を格納するためのフィールドである。当該待ち受け画像サイズフィールド２００に係る待ち受け画像データを読み出す場合、データ部２１から当該待ち受け画像サイズフィールド２００に格納されている数値分のデータが読み出される。
【００４４】
緯度フィールド２０１は、データ部２１に格納されている待ち受け画像データに関連する緯度を格納するためのフィールドであって、南北フラグ２０１０、度データ２０１１、分データ２０１２の各サブフィールドからなっている。ここで、南北フラグは、例えば、１ビットのデータであって、数値「０」にて北緯であることを表わし、数値「１」にて南緯であることを表わすこととすれば良い。
【００４５】
また、経度フィールド２０２は、当該待ち受け画像データに関連する経度を格納するためのフィールドであって、東西フラグ２０２０、度データ２０２１、分データ２０２２の各サブフィールドからなっている。東西フラグ２０２０は、上記南北フラグ２０１１と同様に、例えば、１ビットのデータであって、数値「０」にて東経であることを表わし、数値「１」にて西経であることを表わすこととすることができる。
【００４６】
ネクスト・ポインタ・フィールド２０３には、待ち受け画像記憶部１０５が記憶している次の待ち受け画像データが格納されている領域の先頭アドレスが格納されている。すなわち、待ち受け画像記憶部１０５に記憶されている待ち受け画像データは、ネクスト・ポインタ・フィールド２０３に格納されている先頭アドレスに従って、順に参照される。
【００４７】
次に参照されるべき待ち受け画像データが無い場合、ネクスト・ポインタ・フィールド２０３には、その旨を表わす数値が格納される。この数値は、例えば、ゼロであっても良いし、−１であっても良い。
また、先頭の待ち受け画像データが格納されている領域の先頭アドレスが格納されているとしても良い。どのような数値であっても、それ以上、参照すべき待ち受け画像が無いことを明示することができれば構わない。
【００４８】
図２（ｂ）は、図２（ａ）に例示されているデータ構造に具体的なデータを格納した場合について例示する図である。待ち受け画像サイズフィールド２２０には、待ち受け画像のサイズを表わす数値８０００Ｈ（＝３２ｋバイト）が格納されている。従って、データ部２３には、データ長３２ｋバイトの待ち受け画像データが格納されていることが分かる。
【００４９】
また、緯度フィールド２２１の南北フラグ・サブフィールド２２１０には、北緯であることを表わす数値（上記の例に従えば、「０」。）が格納されている。度データ・サブフィールド２２１１には数値「３５」が格納され、また、分データ・サブフィールド２２１２には数値「４１」が格納されている。すなわち、図２（ｂ）の緯度フィールド２２１には、「北緯３５度４１分」という位置データが格納されていることになる。
【００５０】
経度フィールド２２２についても同様に、東西フラグ・サブフィールド２２２０には、東経であることを表わす数値が、また、度データ・サブフィールド２２２１には数値「１３９」が、更に、分データ・サブフィールド２２２２には数値「４６」がそれぞれ格納され、全体として、「東経１３９度４６分」という位置を表わしている。
【００５１】
従って、図２（ｂ）から、緯度フィールド２２１と経度フィールド２２２とから、「北緯３５度４１分、東経１３９度４６分」という位置情報を読み取ることができる。したがって、図２（ｂ）においては、待ち受け画像が東京都内某所に関連付けられていることが分かる。
また、ネクスト・ポインタ・フィールド２２３には、数値「Ａ０００８０１０Ｈ」が格納されている。これは、次の待ち受け画像データが格納されている領域の先頭アドレスが「Ａ０００８０１０Ｈ」番地であることを表わしている。
【００５２】
［１−３］  携帯電話機１の動作
次に、携帯電話機１の動作について説明する。図３は、待ち受け画像の表示に関連して、携帯電話機１が実行する処理の流れを示すフローチャートである。図３に示されるように、携帯電話機１は、先ず、前記切り替え指示部１０１にて、前記タイマー１００に所定のタイマー値を設定する（ステップＳ１００）。
【００５３】
そして、前記タイマー１００から前記切り替え指示部１０１が、所定の時間が経過した旨の通知を受信するまで待つ（ステップＳ１０１：ＮＯ）。タイマー１００から前記切り替え指示部１０１が、所定の時間が経過した旨の通知を受信したら（ステップＳ１０１：ＹＥＳ）、前記切り替え指示部１０１は、前記位置情報取得部１０２に対して、待ち受け画像表示を更新せよとの指示を送る（ステップＳ１０２）。
【００５４】
前記位置情報取得部１０２は、前記切り替え指示部１０１から、待ち受け画像表示を更新せよとの指示を受け付けると、携帯電話機１が内蔵するＧＰＳモジュールを用いて、現在位置情報を取得する（ステップＳ１０３）。前記位置情報取得部１０２は、現在位置情報を取得すると、これを前記待ち受け画像検索部１０３に出力して、次に表示すべき待ち受け画像の検索を指示する。
【００５５】
前記待ち受け画像検索部１０３は、前記位置情報取得部１０２から位置情報を受け付けると、待ち受け画像記憶部１０５に記憶されている待ち受け画像のうち、受け付けた位置情報によって表わされる現在位置にもっとも関連の深い待ち受け画像を検索する（ステップＳ１０４）。
そして、前記待ち受け画像検索部１０３は、現在位置に最も関連の深い待ち受け画像を特定すると、特定した待ち受け画像を前記待ち受け画像表示部１０６に指定して、当該待ち受け画像を表示するように指示する。
【００５６】
前記待ち受け画像検索部１０３から、所定の待ち受け画像を表示する指示を受け付けると、前記待ち受け画像表示部１０６は、指定された待ち受け画像を前記液晶ディスプレイパネル１０７に表示させる（ステップＳ）。
以上のようにして、前記液晶ディスプレイパネル１０７に待ち受け画像を表示した後、携帯電話機１は、ステップＳ１００に進んで、再び、前記タイマー１００に所定のタイマー値を設定し、上述のような処理を反復実行する。
【００５７】
（１）  現在位置を取得する処理（ステップＳ１０３）
図３に示されているフローチャートにおける、位置情報取得部１０２が携帯電話機１の現在位置情報を取得する処理（ステップＳ１０３）について、更に、詳細に説明する。
図４は、携帯電話機１が位置情報取得部１０２にて現在位置を取得する際に実行する処理の流れを示すフローチャートである。図４に示されるように、位置情報取得部１０２は、先ず、携帯電話機１が内蔵するＧＰＳモジュールに位置情報の取得を指示する（ステップＳ２００）。
【００５８】
位置情報取得部１０２は、前記ＧＰＳモジュールに位置計測を指示すると、当該指示に対するＧＰＳモジュールの応答を待つ（ステップＳ２０１：ＮＯ）。位置情報取得部１０２は、前記ＧＰＳモジュールから位置情報を受け付けると（ステップＳ２０１：ＹＥＳ）、当該位置情報のうち、緯度と経度とを画像検索部１０３に出力する（ステップＳ２０２）。
【００５９】
（２）  待ち受け画像を検索する処理（ステップＳ１０４）
図３に示されているフローチャートにおける、待ち受け画像検索部１０３が待ち受け画像を検索する処理（ステップＳ１０４）について、更に、詳細に説明する。図５は、携帯電話機１が待ち受け画像検索部１０３にて待ち受け画像を検索する際に実行する処理の流れを示すフローチャートである。
【００６０】
待ち受け画像検索部１０３は、現在位置にもっとも近い位置に関連付けられている待ち受け画像を検索する。図５に示されるように、待ち受け画像検索部１０３は、先ず、位置情報取得部１０２からＧＰＳを用いて取得した現在位置に係る位置データ（緯度データと経度データ）を受け付ける（ステップＳ３００）。
次に、待ち受け画像検索部１０３は、位置情報取得部１０２から受け付けた現在位置と、待ち受け画像記憶部１０５に記憶されている各待ち受け画像に関連付けられている位置との間の距離の最小値を表わす変数を初期化する（ステップＳ３０１）。そして、待ち受け画像検索部１０３は、所定のアドレスに格納されている待ち受け画像データを参照する。
【００６１】
本実施の形態においては、前述したように、待ち受け画像データがネクスト・ポインタにて、言わば数珠繋ぎとされている。そして、この数珠繋ぎとされた待ち受け画像データのうち、先頭の待ち受け画像データが記憶されている領域の先頭アドレスは或る決まったアドレスに格納されている。待ち受け画像検索部１０３は、先ず、先頭の待ち受け画像データに係る先頭アドレスを、当該所定のアドレスから読み出す（ステップＳ３０２）。
【００６２】
次に、待ち受け画像検索部１０３は、前記所定アドレスから読み出したアドレスを先頭アドレスとする待ち受け画像データ格納領域の緯度フィールド２０１を参照して、緯度データを読み出す（ステップＳ３０３）。続いて、待ち受け画像検索部１０３は、当該格納領域中の経度フィールド２０２を参照して、経度データを読み出す（ステップＳ３０４）。
【００６３】
待ち受け画像検索部１０３は、前記格納領域から緯度データと経度データを読み出すと、位置情報取得部１０２から受け付けた緯度データ並びに経度データと併せて、これらの位置データを距離算出部１０４に渡して、２地点間の距離を算出するように指示する（ステップＳ３０５）。距離算出部１０４が２地点間の距離を算出する方法については後述する。
【００６４】
待ち受け画像検索部１０３は、距離算出部１０４が算出した距離を受け付けると、現在の最小値と最小値の初期値とが一致するか否かを確認する。そして、当該最小値と当該初期値とが一致していると判定された場合には（ステップＳ３０６：ＹＥＳ）、距離算出部１０４から受け付けた距離を新たな最小値とする（ステップＳ３０８）。
【００６５】
そして、当該距離の算出に用いた緯度データ、並びに経度データが関連付けられている待ち受け画像を格納した領域の先頭アドレスを記録しておく（ステップＳ３０９）。
待ち受け画像検索部１０３は、前述の確認によって、当該最小値と当該初期値とが一致していないと判定された場合には（ステップＳ３０６：ＮＯ）、距離算出部１０４から受け付けた距離と現在の最小値とを比較して、いずれの方が小さいかを判定する。
【００６６】
そして、距離算出部１０４から受け付けた距離の方が、現在の最小値よりも小さいと判定した場合には（ステップＳ３０７：ＹＥＳ）、距離算出部１０４から受け付けた距離を新たな最小値とし（ステップＳ３０８）、前述したのと同様に、前記距離算出に用いた緯度データ等が関連付けられている待ち受け画像の格納領域の先頭アドレスを記録する（ステップＳ３０９）。
【００６７】
距離算出部１０４から受け付けた距離の方が、現在の最小値より小さくないと判定された場合（ステップＳ３０７：ＮＯ）、或いは、ステップＳ３０９において先頭アドレスを記録した後に、当該先頭アドレスにて表わされる待ち受け画像格納領域のネクスト・ポインタ・フィールド２０３を参照して、次に参照すべき待ち受け画像格納領域の先頭アドレスを読み出す（ステップＳ３１０）。
【００６８】
そして、待ち受け画像検索部１０３は、新たに読み出した先頭アドレスが、次に参照されるべき待ち受け画像データが無い旨を表わす値であるか否か、すなわち、現在の待ち受け画像格納領域が末尾データであるか否かを確認する。そして、現在の待ち受け画像格納領域が末尾データであると判定された場合には（ステップＳ３１１：ＹＥＳ）、処理を終了する。
【００６９】
逆に、現在の待ち受け画像格納領域が末尾データではなく、前記先頭アドレスが次に参照すべき待ち受け画像格納領域を表わしていると判定された場合には（ステップＳ３１１：ＮＯ）、ステップＳ３０３へ進み、上述のような処理を繰り返して実行する（ステップＳ３０３〜Ｓ３１１）。
（３）  距離算出部１０４の処理内容
上述のように距離算出部１０４は、待ち受け画像検索部１０３から２つの地点の緯度データおよび経度データを受け付けて、これらの地点間の距離を計算する。図６は、距離算出部１０４が２地点間の距離を算出するために実行する処理の流れを表わすフローチャートである。
【００７０】
図６に示されるように、距離算出部１０４は、先ず、待ち受け画像検索部１０３から、距離を算出するための位置データとして、現在位置の緯度データおよび経度データ、並びに待ち受け画像に係る緯度データおよび経度データを受け付ける（ステップＳ４００）。
続いて、距離算出部１０４は、各地点における地球の半径を求める（ステップＳ４０１）。本実施の形態においては、計算の精度を向上させるため、各地点の緯度を用いて赤道半径を補正することにより各地点の地球の半径を求める。計算式は以下の通りである。
【００７１】
【数１】
0003711118.tif 000002
ここでＥは地球の離心率である。また、緯度はラジアン単位で表現された値を用いる。
距離算出部１０４は、各地点における地球の半径を算出すると、次に、地球の中心を原点とする直交座標における各地点の座標値を算出する（ステップＳ４０２）。ここで、当該直交座標系は赤道面をＸＹ平面として、経度０度をＸ軸、東経９０度をＹ軸とし、地軸をＺ軸とするようなＸＹＺ座標系である。各座標値を算出する式は以下の通りである。
【００７２】
【数２】
0003711118.tif 000003
【００７３】
【数３】
0003711118.tif 000004
【００７４】
【数４】
0003711118.tif 000005
距離算出部１０４は、上述のようにして算出した各地点の座標値を用いて、これら地点間のユークリッド距離を計算する（ステップＳ４０３）。現在位置に係る座標値を（Ｘ１、Ｙ１、Ｚ１）、待ち受け画像に関連付けられている座標値を（Ｘ２、Ｙ２、Ｚ２）とすると、これら地点間のユークリッド距離を計算する式は以下の通りである。
【００７５】
【数５】
0003711118.tif 000006
なお、上述のようにして算出した２地点間のユークリッド距離を用いて２地点間の地表面距離、すなわち、地球の表面に沿った最短距離を求めることもできる。しかしながら、現在位置と待ち受け画像との関連の深さを評価するという目的に鑑みれば、２地点間のユークリッド距離を求めるだけで当該目的を達成のに十分である。
【００７６】
このような理由から、本実施の形態においては地表面距離までは算出せず、距離算出部１０４に係る処理負荷の軽減を採ることとした。
距離算出部１０４は、上述のようにして、２地点間のユークリッド距離を算出したら、当該ユークリッド距離を待ち受け画像検索部１０３に出力して処理を終了する（ステップＳ４０４）。
【００７７】
（４）  待ち受け画像を表示する処理（ステップＳ１０５）
図３に示されているフローチャートにおける、待ち受け画像表示部１０６が待ち受け画像を表示する処理（ステップＳ１０５）について、更に、詳細に説明する。図７は、携帯電話機１が待ち受け画像表示部１０６にて待ち受け画像を液晶ディスプレパネル１０７に表示する際に実行する処理の流れを示すフローチャートである。
【００７８】
図７に示されるように、待ち受け画像表示部１０６は、待ち受け画像検索部１０３から待ち受け画像データを受け付けると（ステップＳ５００）、受け付けが待ち受け画像データがデータ圧縮されているので、これを解凍する（ステップＳ５０１）。なお、この圧縮データの解凍には、公知の圧縮データ解凍アルゴリズムを用いれば良い。
【００７９】
待ち受け画像表示部１０６は、上述のようにして待ち受け画像データを解凍した後、これを液晶ディスプレイパネル１０７に表示させて（ステップＳ５０２）、処理を終了する。
［１−４］  第１の実施の形態のまとめ
以上、述べたように、本実施の形態によれば、時々刻々変化する携帯電話機１の現在位置をＧＰＳを用いて計測しながら、携帯電話機１の現在位置に最も関連の深い待ち受け画像を表示する。従って、待ち受け画像を無作為に選択して表示するような場合と比較して、待ち受け画像の表示に意味を持たせることができるので有意義である。
【００８０】
例えば、特定の位置に来たら特定の用件を思い出す必要があるような場合、その用件を書き留めたメモを待ち受け画像として、当該特定の位置に関連付けておけば、ユーザが自ら思い出すように気を付けていなくても、携帯電話機に表示されている待ち受け画像を一瞥するだけで当該特定の用件を思い出すことができるので便利である。
【００８１】
このように、本実施の形態によれば、従来技術が有している前述のような問題点を解決して、ユーザにとってより有意義な、従って、飽きのこない待ち受け画像を表示する携帯電話機を提供することができる。なお、本願発明は、上述したような手順で待ち受け画像を表示する待ち受け画像表示方法であるとしても良い。
【００８２】
［１−５］  変形例
以上、第１の実施の形態に基づいて本願発明を説明してきたが、本実施の形態について、以下のような変形例を実施することができる。
（１）  上記実施の形態においては、切り替え指示部１０１が位置情報取得部１０２に指示を出した後、位置情報取得部１０２から待ち受け画像検索部１０３に処理が受け渡されるとしたが、このような機能構成および処理手順が一例に過ぎないのは言うまでも無く、これに代えて次のような機能構成や処理手順をとるとしても良い。
【００８３】
図８は、本変形例に係る携帯電話機を構成する機能ブロックを示す機能構成図である。図８に示されるように、携帯電話機３は、制御部３００、タイマー３０１、位置情報取得部３０２、待ち受け画像記憶部３０３、待ち受け画像検索部３０４、距離算出部３０５、待ち受け画像解凍部３０６、および、液晶ディスプレイパネル３０７を備えている。
【００８４】
制御部３００は、携帯電話機３における待ち受け画像の表示に係る動作を統括する機能ブロックである。制御部３００は、起動時に、タイマー３０１にタイマー値を設定する。タイマー３０１は、設定されたタイマー値に相当する時間が経過したら、制御部３００にその旨を通知する。
制御部３００は、タイマー３０１から上述の通知を受け付けると、位置情報取得部３０２に、現在位置についての位置情報を取得するように指示する。位置情報取得部３０２は当該指示を受けると、上述のように、ＧＰＳを用いて位置データを取得して、取得した位置データを制御部に返信する。
【００８５】
制御部３００は、位置情報取得部３０２から位置データを受け付けると、待ち受け画像検索部３０４に当該位置データを渡して、現在位置にもっとも関係の深い待ち受け画像を検索するように指示する。
待ち受け画像検索部３０４は、制御部３００から上述のような指示を受け付けると、待ち受け画像記憶部３０３から待ち受け画像に係る位置データを順に読み出して、読み出した位置データと位置情報取得部３０２にて取得した位置データとを距離算出部３０５に渡して、距離を算出するように指示する。
【００８６】
そして、待ち受け画像検索部３０４は、距離算出部３０５にてもっとも小さい距離を算出した位置データに係る待ち受け画像データであって、データ圧縮されている待ち受け画像データを待ち受け画像記憶部３０４から読み出して、制御部３００に返信する。
制御部３００は、待ち受け画像検索部３０４からデータ圧縮されている待ち受け画像データを受け付けると、当該待ち受け画像データを待ち受け画像解凍部３０６に渡して、これを解凍するように指示する。
【００８７】
待ち受け画像解凍部３０６は、制御部３００からデータ圧縮されている待ち受け画像データを受け付けると、公知の圧縮データ解凍アルゴリズムにしたがって当該待ち受け画像データを解凍する。そして、待ち受け画像解凍部３０５は、解凍した待ち受け画像データを制御部３００に返信する。
制御部３００は、待ち受け画像解凍部３０５から解凍された待ち受け画像データを受け付けると、当該待ち受け画像データを液晶ディスプレイパネル３０７に出力して、画像表示させる。
【００８８】
液晶ディスプレイパネル３０７は、制御部３００から受け付けた待ち受け画像データをカラー表示するとしても良いし、モノクロ表示するとしても良い。
なお、上記において、待ち受け画像検索部３０４は待ち受け画像データへのポインタ（アドレス）のみを制御部３００に返信するとしても良い。また、この場合において、制御部３００は当該ポインタを待ち受け画像解凍部３０６に渡して、解凍した待ち受け画像データへのポインタ（アドレス）のみを待ち受け画像解凍部３０６から受け取るとしても良い。
【００８９】
（２）  上記実施の形態においては、前記距離算出部１０４にて携帯電話機１の現在位置と待ち受け画像に対応付けられた位置との間の距離を算出するにあたって、緯度データと経度データのみを用いるとしたが、本願発明がこれに限定されないのは言うまでもなく、上述の方法に代えて、次のような算出方法にて距離を求めるとしても良い。
【００９０】
すなわち、緯度データと経度データに加えて、高度データも用いて距離を算出するとしても良い。この場合、位置情報取得部１０２は、ＧＰＳを用いて、高度データも取得し、緯度データや経度データと併せて、これを待ち受け画像検索部１０３に出力する。また、待ち受け画像記憶部１０５は、各待ち受け画像に関連付けて記憶する位置データとして、緯度データや経度データに加えて、高度データも記憶する。
【００９１】
そして、距離算出部１０４は、２地点間の距離を算出するにあたって、前述した数２、数３、数４に代えて、次の式を用いる。
【００９２】
【数６】
0003711118.tif 000007
【００９３】
【数７】
0003711118.tif 000008
【００９４】
【数８】
0003711118.tif 000009
このようにすれば、相異なる待ち受け画像に対して同一の緯度と経度とが関連付けられているような場合であっても、高度によって、これらの待ち受け画像を区別して表示することができる。これは、例えば、１棟のビルの内部の異なるフロアに関連付けられている待ち受け画像があるような場合に有効である。具体的には、百貨店において、フロア毎にフロア・マップを待ち受け画像として表示させるような場合が挙げられる。
【００９５】
（３）  上記実施の形態においては、待ち受け画像記憶部１０５にて、図２に示したようなデータ構造を用いて待ち受け画像データや待ち受け画像データに関連するデータを記憶するとしたが、これに代えて次のようにするとしても良い。すなわち、待ち受け画像記憶部１０５は、Ｅｘｉｆ（Exchangeable Image File Format）形式で待ち受け画像データを記憶するとしても良い。Ｅｘｉｆ形式は、付加情報としてＧＰＳ属性情報（GPS attribute information）を付加することができる。図９は、Ｅｘｉｆ形式にて付加することができるＧＰＳ属性情報を示す図である。
【００９６】
図９に示されるように、Ｅｘｉｆ形式に従えば、ＧＰＳ属性情報として、緯度（latitude）、経度（longitude）、および、高度（altitude）を付加することができる。また、Ｅｘｉｆ形式は、 HYPERLINK "http://e-words.jp/w/RGB.html" ＲＧＢ無圧縮方式や HYPERLINK "http://e-words.jp/w/JPEG.html" ＪＰＥＧ（Joint Photographic Experts Group）方式など複数の画像形式を HYPERLINK "http://e-words.jp/w/E382B5E3839DE383BCE38388.html" サポートしているので、Ｅｘｉｆ形式に従えば、上記実施の形態のように待ち受け画像データをデータ圧縮して記憶することができる。
【００９７】
Ｅｘｉｆ形式については、例えば、（社）電子情報技術産業協会（JEITA： Japan Electronic and Information Technology Industries Association）が発行した規格文書（JEITA CP-3451: Exchangeable image file format for digital still cameras: Exif version 2.2）を参照されたい。
（４）  本実施の形態においては、待ち受け画像記憶部１０５を用いて、待ち受け画像データを記憶するとしたが、この待ち受け画像記憶部１０５は、携帯電話機１の内部メモリ装置に待ち受け画像データを記憶するとしても良いし、外部メモリ装置に待ち受け画像データを記憶するとしても良い。また、携帯電話機に装着した外部メモリ装置と内部メモリ装置との間で待ち受け画像データを転送することができるとしても良い。
【００９８】
特に、外部メモリ装置に待ち受け画像データを記憶する場合には、携帯電話機１に装着する外部メモリ装置を差し替えるだけで、携帯電話機に表示する待ち受け画像セットを交換することができるので、待ち受け画像表示を更に飽きのこないものとすることができる。また、携帯電話機のユーザ間で外部メモリ装置を交換し合うことにより、待ち受け画像表示をユーザにとって更に有意義なものとすることができる。
【００９９】
［２］  第２の実施の形態
次に、本願発明の第２の実施の形態に係る携帯電話機について説明する。本実施の形態に係る携帯電話機は、上記第１の実施の形態に係る携帯電話機と同様の構成を備えているが、待ち受け画像に関連付けられた位置と携帯電話機の現在位置との間の距離を、当該待ち受け画像と併せて液晶ディスプレイパネルに表示する点において相違している。
【０１００】
図１を参照しながら、本実施の形態に係る携帯電話機について説明すると、本実施の形態に係る携帯電話機１の待ち受け画像検索部１０３は、上述のように距離の最小値を更新する際に（ステップＳ３０８）、併せて当該最小値に係るユークリッド距離を記録する。
そして、液晶ディスプレイパネル１０７に表示させるべき待ち受け画像データを決定したら、待ち受け画像検索部１０３は、待ち受け画像データと当該待ち受け画像データに係るユークリッド距離とを待ち受け画像表示部１０６に渡す。
【０１０１】
待ち受け画像表示部１０６は、先ず、前述のように、待ち受け画像データを解凍する。
そして、待ち受け画像検索部１０３から受け付けた距離データを表示する文字列と、解凍した待ち受け画像データとを合成して合成画像データを作成し、当該合成画像データを液晶ディスプレイパネル１０７に入力して表示させる。
【０１０２】
このようにすれば、携帯電話機１のユーザが、携帯電話機１が表示している待ち受け画像に関連付けられている位置へ向かおうとしている際に、当該位置までの具体的な距離を知ることができるので便利である。例えば、その位置が待ち合わせ場所であるような場合に、その待ち合わせ場所に到達するのに要する時間をある程度見積もることができるので有効である。
【０１０３】
［２−１］  第２の実施の形態に係る変形例
以上、第２の実施の形態に基づいて本願発明を説明してきたが、本実施の形態について、以下のような変形例を実施することができる。
（１）  上記実施の形態においては、距離算出部１０４において、指定された２地点間のユークリッド距離を求めるとしたが、本願発明がこれに限定されないのは言うまでもなく、ユークリッド距離に代えてユークリッド距離以外の距離を計算するとしても良い。
【０１０４】
ユークリッド距離以外の距離としては、例えば、地表面距離が挙げられる。距離算出部１０４は、上述のユークリッド距離から次のようにして地表面距離を求めることができる。すなわち、先ず、次式を用いて、２地点間のユークリッド距離から半射程角を求める。
【０１０５】
【数９】
0003711118.tif 000010
上式を用いて得られた半射程角を次式に代入すれば、２地点間の地表面距離を求めることができる。
【０１０６】
【数１０】
0003711118.tif 000011
なお、赤道半径の値としては、例えば、６，３７８，１３６ｍ、地球の離心率の値としては、例えば、０．０１６７を用いれば良い。更に、精度の高い値を用いれば、２地点間の距離を更に精度よく求めることができる。
【０１０７】
このようにすれば、待ち受け画像に関連付けられている位置が特に遠方であるような場合には、ユークリッド距離と地表面離との差が大きくなるので、例えば、当該位置を目的地として移動しているような場合、その行程距離をより正確に知ることができる。
（２）  上記実施の形態においては、携帯電話機１を構成する待ち受け画像表示部１０６は、待ち受け画像データに距離を表わす文字列を合成して、液晶ディスプレイパネル１０７に表示させるとしたが、これに加えて、次のようにするとしても良い。
【０１０８】
すなわち、待ち受け画像表示部１０６は、待ち受け画像検索部１０３から受け付けた距離データに合わせて、液晶ディスプレイパネル１０７に表示すべき画像データに画像処理を施すとしても良い。
例えば、当該距離が小さいほど、待ち受け画像を鮮明に表示し、当該距離が大きいほど、待ち受け画像を平均化処理などによってぼかして表示したり、或いは、色調を赤味がかった色調とするなど、通常とは異なる色調に変換して、当該距離を表現するとしても良い。
【０１０９】
このようにすれば、例えば、待ち受け画像に関連付けられている位置を目的地として、その場所へ向かおうとしている場合に、携帯電話機に表示されている待ち受け画像の状態から目的地に近づいていっているのか、逆に、目的地から遠ざかっているのか、を距離データのみならず、視覚的に察知することができるので優れている。
【０１１０】
［３］  第３の実施の形態
次に、本願発明の第３の実施の形態に係る携帯電話機について説明する。本実施の形態に係る携帯電話機は、上記第１の実施の形態に係る携帯電話機と概ね同様の構成を備えているが、当該構成に加えて、更に、携帯電話機の方位を検出する方位センサを備えており、携帯電話機の現在位置から待ち受け画像に関連付けられた位置へ向かう方向を、当該待ち受け画像と併せて、液晶ディスプレイパネルに表示する点を特徴としている。
【０１１１】
［３−１］  機能構成
図１０は、第３の実施の形態に係る携帯電話機について、待ち受け画像表示に係る主要な機能構成を示す機能ブロック図である。図１０に示されるように、携帯電話機４は、制御部４００、タイマー４０１、位置情報取得部４０２、ＧＰＳモジュール４０３、方向算出部４０４、方位情報取得部４０５、方位センサー４０６、距離算出部４０７、待ち受け画像検索部４０８、待ち受け画像記憶部４０９、方向指示画像記憶部４１０、待ち受け画像表示部４１１、および、液晶ディスプレイパネル４１２を備えている。
【０１１２】
制御部４００は、第１の実施の形態における切り替え指示部１０１と同様に、タイマー４０１に所定のタイマー値を設定することによってタイマー４０１から通知を受け付け、当該通知を契機として待ち受け画像表示を更新するという処理を繰り返し実行する。制御部４００は、タイマー４０１から所定時間が経過した旨の通知を受け付けると、位置情報取得部４０２に位置情報を取得するように指示を出す。
【０１１３】
位置情報取得部４０２は、上記第１の実施の形態におけるのと同様に、ＧＰＳモジュール４０２から現在位置の緯度と経度とを取得し、これを位置情報として制御部４００に渡す。続いて、制御部４００は、位置情報取得部４０２から受け付けた位置情報を待ち受け画像検索部４０８に渡して、当該位置情報にもっとも関連の深い待ち受け画像を検索させる。
【０１１４】
待ち受け画像検索部４０８は、上記第１の実施の形態におけるのと同様に、待ち受け画像記憶部４０９から各待ち受け画像に関連付けられた位置情報を読み出し、距離算出部４０７にて携帯電話機４の現在位置からの距離を算出させることによって、携帯電話機４の現在位置にもっと近いものを検索する。そして、検索結果を制御部４００に返す。
【０１１５】
制御部４００は、待ち受け画像検索部４０８から前記の検索結果を受け付けると、当該検索結果と現在位置情報とを方位情報取得部４０５に渡して、方位情報を取得するように指示する。
方位情報取得部４０５は、携帯電話機４が内蔵している方位センサー４０６を用いて、携帯電話機４が向いている方向を計測する。方位情報取得部４０５は、方向を計測できなかった場合、その旨を表わす方位情報を制御部４００に出力する。
【０１１６】
方位センサー４０６にて方向を計測できた場合には、制御部４００から受け取った検索結果と現在位置情報とから、携帯電話機４の現在位置から、液晶ディスプレイパネル４１２に表示すべき待ち受け画像に関連付けられた位置へと向かう方向を算出する。そして、算出した方向と、計測した携帯電話機４の方向とがなす角度の差（以下、これを「差分角度」という。））を算出する。
【０１１７】
そして、方位情報取得部４０５は、差分角度が、八方位の何れに属するかを判定する。すなわち、携帯電話機４の方向と同じ方向を０度として、当該０度を略中心とする４５度の範囲（３３８度から２３度までの範囲）に属しているか、或いは、４５度、９０度、１３５度、１８０度、２２５度、２７０度、３１５度のいずれかを略中心とする４５度の範囲のいずれに属しているのか、を判定して、算出した角度が属する方位を方位情報として、当該方位情報を制御部４００に出力する。
【０１１８】
制御部４００は、方位情報取得部４０５から方位情報を受け付けると、当該方位情報の内容を参照して、待ち受け画像が変化したか否かを確認する。
そして、待ち受け画像が変化していないと判断された場合には、更に、携帯電話機４の方向が変化したか否かを確認する。そして、携帯電話機４の方向が変化していないと判断した場合には、再びタイマー４０１にタイマー値を設定して、処理を終了する。
【０１１９】
制御部４００は、方位情報取得部４０２から受け付けた方位情報を参照して、携帯電話機４の方向が変化したと判断した場合には、前記検索結果、並びに、と方位情報を待ち受け画像表示部４１１に渡して、待ち受け画像を更新するように指示する。
待ち受け画像表示部４１１は、先ず、制御部４００から受け付けた前記検索結果に対応する待ち受け画像を待ち受け画像記憶部４０９から読み出すとともに、前記方位情報に対応する方向指示画像を方向指示画像記憶部４１０から読み出す。図１１は、方向指示画像記憶部４１０に記憶されている方向指示画像を例示する図である。
【０１２０】
図１１に示されるように、方向指示画像記憶部４１０には、八方位のそれぞれに対応する方向指示画像５００〜５０７と、方位センサー４０６によって方位情報を得ることができなかった旨を表わす画像である方向測定不可表示画像５１０との、合計９つの画像が記憶されている。
方向指示画像５００は、差分角度０度を略中心とする４５度の範囲に対応する方位を表す方向指示画像である。また、方向指示画像５０１〜５０７は、それぞれ差分角度４５度、９０度、１３５度、１８０度、２２５度、２７０度、および、３１５度を略中心とする４５度の範囲に対応する方位を表わす方向指示画像である。
【０１２１】
さて、待ち受け画像表示部４１１は、方向指示画像データを方向指示画像記憶部４１０から読み出し、待ち受け画像データを待ち受け画像記憶部４０９から読み出すと、待ち受け画像表示部４１１は、待ち受け画像記憶部４０９から読み出した待ち受け画像データと、前記方向指示画像データとを合成して新たな合成画像データを作成する。
【０１２２】
前記合成画像データの作成が完了したら、待ち受け画像表示部４１１は、当該合成画像データを液晶ディスプレイパネル４１２に表示させる。
［３−２］  携帯電話機４の動作
次に、携帯電話機４の動作について説明する。図１２は、携帯電話機４が待ち受け画像の表示を更新するために実行する処理の流れを表わすフローチャートである。図１２に示されるように、携帯電話機４は、先ず、タイマー処理を実行することによって、待ち受け画像表示を更新すべき時期となるのを待つ（ステップＳ６００）。
【０１２３】
そして、待ち受け画像表示を更新すべき時期となったら、携帯電話機４は、前記位置情報取得部４０２にて位置情報を取得する（ステップＳ６０１）。そして、制御部４００は、当該位置情報を待ち受け画像検索部４０８に渡して、表示すべき待ち受け画像を検索させる（ステップＳ６０２）。
次いで、制御部４００は、位置情報取得部４０２からの位置情報と待ち受け画像検索部４０８からの検索結果とを方位情報取得部４０５に渡して、方位情報を取得させる（ステップＳ６０３）。
【０１２４】
制御部４００は、待ち受け画像検索部４０８からの検索結果を参照して、表示すべき待ち受け画像が別の待ち受け画像に変化したか否かを確認する。そして、表示すべき待ち受け画像が変化していなければ（ステップＳ６０４：ＮＯ）、方位情報取得部４０５からの方位情報を参照して、携帯電話機４の方向が変化したか否かを確認する。
【０１２５】
確認の結果、携帯電話機４の方向は変化していないと判断された場合には（ステップＳ６０５：ＮＯ）、待ち受け画像の表示更新をせずに、ステップＳ６００へ進んで、上述のような処理を繰り返す。
待ち受け画像が変化したと判断された場合や（ステップＳ６０４：ＹＥＳ）、携帯電話機４の方向が変化したと判断された場合には（ステップＳ６０５：ＹＥＳ）、制御部４００は、待ち受け画像表示部４１１に待ち受け画像表示を更新させる（ステップＳ６０６）。
【０１２６】
なお、本実施の形態においては、方位測定不能状態から方位測定可能状態へと遷移した場合や、方位測定可能状態から方位測定不能状態へと遷移した場合にも、携帯電話機４の方向が変化したと判断する。その後、携帯電話機４は、ステップＳ６００へ進んで、上述のような処理を繰り返す。
（１）  方向情報を取得する処理（ステップＳ６０３）
次に、方位情報を取得する処理（ステップＳ６０３）について詳述する。図１３は、携帯電話機４が実行する方向情報を取得する処理の流れを表すフローチャートである。図１３に示されるように、携帯電話機４は、方位情報取得部４０５にて、方位情報を取得する処理を始めるにあたって、先ず、方位センサー４０６から方位データ（例えば、電圧）を読み出す（ステップＳ７００）。
【０１２７】
そして、方位センサー４０３から読み出した方位データが有効な方位データであるか否かを確認する。当該確認の結果、方位データが有効でないと判断された場合には（ステップＳ７０１：ＮＯ）、その旨を表わす方位情報を制御部４００に出力する（ステップＳＳ７０３）。
方位データが有効であると判断された場合には（ステップＳ７０１：ＹＥＳ）、方位データを変換して方位情報を作成する。すなわち、上述のように差分角度を算出し、当該差分角度が八方位の何れに属するかを表わす情報を作成して、これを方位情報とする（ステップＳ７０２）。
【０１２８】
この場合において、例えば、方位情報は、２バイトの情報であって、その１バイト目の値によって携帯電話機４の方向を測定し得たか否かを表わすこととし、その２バイト目の値によって、携帯電話機４の方向を測定し得た場合のその方向を表わすとしても良い。
例えば、０度を略中心とする４５度の範囲の方向に携帯電話機４が向いているならば、その値をゼロとし、４５度から３１５度までの４５度毎の各方向角を略中心とする４５度の範囲については、それぞれ１から７の値を割り当てるとしても良い。このようにすれば、２バイトのデータで方向情報を表現することができる。
【０１２９】
携帯電話機４は、方位情報取得部４０５にて、ステップＳ７０２、または、ステップＳ７０３の処理時を実行した後、メインルーチンに復帰する。
（３）  方向表示を更新する処理（ステップＳ６０６）
次に、方向表示を更新する処理（ステップＳ６０６）について詳述する。図１４は、携帯電話機４が実行する方向表示を更新する処理の流れを表すフローチャートである。
【０１３０】
図１４に示されるように、携帯電話機４は、待ち受け画像表示部４１１にて、待ち受け画像表示を更新する処理を始めるにあたって、先ず、現在表示している待ち受け画像に係る待ち受け画像データを待ち受け画像記憶部４０９から読み出して、解凍する（ステップＳ９００）。
次に、待ち受け画像表示部４１１は、前記方向情報取得部４０５にて取得した方向情報に対応する方向指示画像データを方向指示画像記憶部４１０から読み出す（ステップＳ９０１）。
【０１３１】
そして、待ち受け画像表示部４１１は、待ち受け画像記憶部４０９から読み出した待ち受け画像データと、方向指示画像記憶部４１０から読み出した方向指示画像データと合成して、合成画像データを作成する（ステップＳ９０２）。
待ち受け画像表示部４１１は、合成画像データを作成した後、当該合成画像データを液晶ディスプレイパネル４１２に入力して、当該合成画像データを表示させる（ステップＳ９０３）。
【０１３２】
［４］  第４の実施の形態
次に、本願発明の第４の実施の形態について説明する。本実施の形態に係る携帯電話機は、上記第１の実施の形態に係る携帯電話機１と概ね同様の構成を備えており、当該構成に加えて、更に、デジタルカメラを備えており、当該デジタルカメラによって待ち受け画像を撮影することができることを特徴とする。
【０１３３】
［４−１］  機能構成
図１５は、本願発明の第４の実施の形態に係る携帯電話機について、待ち受け画像の作成に係る主要な機能構成を示す機能ブロック図である。図１５に示されるように、携帯電話機５は、制御部５００、位置情報取得部５０１、ＧＰＳモジュール５０２、デジタル画像撮影部５０３、デジタルカメラモジュール５０４、操作パネル５０５、待ち受け画像作成部５０６、および、待ち受け画像記憶部５０７を備えている。
【０１３４】
制御部５００は、操作パネル５０５によって、ユーザから、待ち受け画像を作成せよとの指示を受け付けると、位置情報取得部５０１に現在位置の位置情報を取得するように指示する。
位置情報取得部５０１は、制御部５００から位置情報を取得せよとの指示を受け付けると、携帯電話機５が内蔵するＧＰＳモジュール５０２に位置情報を取得するように指示する。位置情報取得部５０１は、ＧＰＳモジュール５０２から緯度や経度を取得すると、これらを位置情報として制御部５００に渡す。
【０１３５】
制御部５００は、また、操作パネル５０５から上記の指示を受け付けると、デジタル画像撮影部５０３にデジタル画像を撮影するように指示する。
デジタル画像撮影部５０３は、制御部５００から前記の指示を受け付けると、携帯電話機５が内蔵するデジタルカメラモジュール５０４にデジタル画像を撮影するように指示する。デジタル画像撮影部５０３は、デジタルカメラモジュール５０４からデジタル画像データを取得すると、これを制御部５００に渡す。
【０１３６】
制御部５００は、位置情報取得部５０１から位置情報を受け付け、かつ、デジタル画像撮影部５０３からデジタル画像データを受け付けると、当該位置情報と当該デジタル画像データとを待ち受け画像作成部５０６に渡して、待ち受け画像を作成するように指示する。
待ち受け画像作成部５０６は、制御部５００から位置情報とデジタル画像データを受け付けると、デジタル画像データをデータ圧縮する。そして、待ち受け画像記憶部５０７に当該位置情報とデータ圧縮したデジタル画像データとを関連付けて記憶するように指示する。
【０１３７】
待ち受け画像記憶部５０７は、待ち受け画像作成部５０６から前記の指示を受け付けると、例えば、図２に示したようなフォーマットに従って、位置情報と待ち受け画像データとを記憶する。
［４−２］  携帯電話機５の動作
次に、携帯電話機５の動作について説明する。図１６は、携帯電話機５が新たな待ち受け画像を作成するために実行する処理の流れを表わすフローチャートである。図１６に示されるように、携帯電話機５は、ユーザから待ち受け画像を作成せよとの指示が無ければ（ステップＳ１０００：ＮＯ）、ユーザから指示があるまで待機する。
【０１３８】
携帯電話機５は、操作パネル５０５によって、ユーザから、待ち受け画像を作成せよとの指示を受け付けると（ステップＳ１０００：ＹＥＳ）、位置情報取得部５０１にて、ＧＰＳモジュール５０２から、緯度や経度といった位置情報を取得する（ステップＳ１００１）。このとき、併せて、ＧＰＳモジュール５０２から高度（標高）も取得するとしても良い。
【０１３９】
次に、携帯電話機５は、待ち受け画像として表示すべきデジタル画像データを取得する。すなわち、デジタル画像取得部５０３にて、デジタルカメラモジュール５０４から、デジタル画像データを取得する（ステップＳ１００２）。
そして、携帯電話機５は、待ち受け画像作成部５０６にて前記待ち受け画像データをデータ圧縮する。待ち受け画像作成部５０６は、制御部５００から受け付けが位置情報と、自らデータ圧縮した待ち受け画像データとを待ち受け画像記憶部５０７に渡す。待ち受け画像記憶部５０７は、前記位置情報とデータ圧縮した待ち受け画像データとを関連付けて記憶する（ステップＳ１００３）。
【０１４０】
待ち受け画像記憶部５０７に、前記位置情報と関連付けて記憶された待ち受け画像データは、例えば、上記第１の実施の形態のようにして、待ち受け画像表示される。
なお、デジタルカメラモジュール５０４がＪＰＥＧ形式等、データ圧縮されたデジタル画像データを生成する場合には、待ち受け画像作成部５０６にて更にデータ圧縮する必要はなく、そのまま、待ち受け画像記憶部５０７に記憶させるとしても良い。
【０１４１】
以上のようにすれば、携帯電話機５に内蔵されているデジタルカメラモジュール５０４にてデジタル画像を撮影した位置を当該デジタル画像に関連付けて待ち受け画像とするので、当該デジタル画像を撮影した位置に近づくと当該デジタル画像が待ち受け画像として表示される。従って、携帯電話機５のユーザにとってより有意義な待ち受け画像表示を実現することができる。
【０１４２】
［５］  第５の実施の形態
次に、本願発明の第５の実施の形態について説明する。本実施の形態に係る携帯電話機は、上記第１の実施の形態に係る携帯電話機１と概ね同様の構成を備えており、当該構成に加えて、更に、インターネット等の通信ネットワークを介して待ち受け画像データを取得することができることを特徴とする。
【０１４３】
［５−１］  機能構成
図１７は、本願発明の第５の実施の形態に係る携帯電話機について、待ち受け画像データの取得に係る主要な機能構成を示す機能ブロック図である。図１７に示されるように、携帯電話機７は、制御部７００、操作パネル７０１、候補画像表示部７０２、液晶ディスプレイパネル７０３、待ち受け画像記憶部７０４、位置情報取得部７０５、ＧＰＳモジュール７０６、待ち受け画像取得部７０７、および、ネットワークＩ／Ｆ７０８を備えている。
【０１４４】
また、ネットワークＩ／Ｆ７０８は、通信ネットワーク７０９を介して、待ち受け画像サーバ７１０に接続されている。なお、当該待ち受け画像サーバは、携帯電話機７のユーザが所有するパーソナルコンピュータであっても良いし、また、インターネット等の通信ネットワークを介して待ち受け画像を提供するサービスを行う業者の所有に係るコンピュータであるとしても良い。
【０１４５】
制御部７００は、操作パネル７０１によって、ユーザから、待ち受け画像を取得せよとの指示を受け付けると、待ち受け画像取得部７０７に待ち受け画像の候補となる画像データを取得するように指示する。
待ち受け画像取得部７０７は、制御部７００から前記の指示を受け付けると、ネットワークＩ／Ｆ７０８を用いて、通信ネットワーク７０９を介して、待ち受け画像サーバ７１０から、候補画像データを取得する。
【０１４６】
当該候補画像データはデータ圧縮されており、通信ネットワーク７０９の負荷が軽減されるとともに、転送時間が短縮されるようになっている。待ち受け画像取得部７０７は、待ち受け画像サーバ７１０から取得した候補画像データを制御部７００に渡す。
制御部７００は、待ち受け画像取得部７０７から候補画像データを受け付けると、候補画像表示部７０２に当該候補画像データを渡して、これを表示するように指示する。
【０１４７】
候補画像表示部７０２は、制御部７００から候補画像データを受け付けると、データ圧縮されている候補画像データを解凍する。そして、候補画像表示部７０２は、解凍した候補画像データを表示するように液晶ディスプレイパネル７０３に指示する。
当該指示を受け付けた液晶ディスプレイパネル７０３は、併せて受け付けた候補画像データを表示する。
【０１４８】
制御部７００は、液晶ディスプレイパネル７０３に表示している候補画像について、操作パネル７０１を介して、ユーザから、別の候補画像を表示せよとの指示を受け付けると、新たな候補画像データを取得するように待ち受け画像取得部７０７に指示する。
待ち受け画像取得部７０７は、制御部７００から前記の指示を受け付けると、上述と同様、待ち受け画像サーバ７１０から、候補画像データを取得して、取得した候補画像データを制御部７００に渡す。
【０１４９】
制御部７００は、待ち受け画像取得部７０７から候補画像データを受け付けると、候補画像表示部７０２に当該候補画像データを表示するように指示する。
候補画像表示部７０２は、受け付けた候補画像データを解凍して、液晶ディスプレイパネル７０３に表示させる。
制御部７００は、液晶ディスプレイパネル７０３に表示している候補画像について、操作パネル７０１を介して、ユーザから、待ち受け画像に採用するとの指示を受け付けると、位置情報取得部７０５に現在位置の位置情報を取得するように指示する。
【０１５０】
位置情報取得部７０５は、制御部７００から前記の指示を受け付けると、ＧＰＳモジュール７０６から現在位置の緯度や経度を取得する。そして、位置情報取得部７０５は、取得した緯度や経度を位置情報として制御部７００に渡す。
制御部７００は、位置情報取得部７０５から位置情報を受け付けると、ユーザが選択した候補画像データ、並びに、当該位置情報を待ち受け画像記憶部７０４に渡して、当該候補画像データと当該位置情報とを関連付けて記憶するように指示する。
【０１５１】
待ち受け画像記憶部７０４は、制御部から前記候補画像データと前記位置情報とを受け付けると、例えば、図２に示したようなフォーマットに従って、位置情報と待ち受け画像データとを記憶する。待ち受け画像記憶部７０４に記憶されてた待ち受け画像データは、例えば、第１の実施の形態において述べたような方法で表示される。
【０１５２】
［５−２］  携帯電話機７の動作
次に、携帯電話機７の動作について説明する。図１８は、携帯電話機７が新たな待ち受け画像を取得するために実行する処理の流れを表わすフローチャートである。図１８に示されるように、携帯電話機７は、ユーザから待ち受け画像を取得せよとの指示が無ければ（ステップＳ１１００：ＮＯ）、ユーザから指示があるまで待機する。
【０１５３】
携帯電話機７は、操作パネル７０１によって、ユーザから、待ち受け画像を作成せよとの指示を受け付けると（ステップＳ１１００：ＹＥＳ）、待ち受け画像取得部７０７にて、ネットワークＩ／Ｆ７０８を使って、通信ネットワーク７０９を介して、待ち受け画像サーバ７１０から候補画像データを取得する（ステップＳ１１０１）。
【０１５４】
次に、待ち受け画像サーバ７１０から取得した前記候補画像データはデータ圧縮されているので、携帯電話機７はこれを解凍する（ステップＳ１１０２）。前記候補画像表示部７０２にて、前記液晶ディスプレイパネル７０３に表示させる（ステップＳ１１０３）。
液晶ディスプレイパネル７０３に表示した候補画像データをユーザが待ち受け画像データとして採用せず、次の候補画像データを表示するようにとの指示を、操作パネル７０１により受け付けた場合には（ステップＳ１１０４：ＮＯ）、前記待ち受け画像サーバ７１０から別の候補画像データを取得する（ステップＳ１１０１）。
【０１５５】
そして、新たに取得した候補画像データを解凍して（ステップＳ１１０２）、液晶ディスプレイパネル７０３に表示する（ステップＳ１１０３）。
液晶ディスプレイパネル７０３に表示した候補画像データを待ち受け画像データとして採用するとの指示をユーザから受け付けた場合には（ステップＳ１１０４：ＹＥＳ）、位置情報取得部７０５にて、ＧＰＳモジュール７０６から現在位置の緯度や経度を取得する（ステップＳ１１０５）。
【０１５６】
そして、携帯電話機７は、ユーザが採用した待ち受け画像データと、前記位置情報取得部７０５にて取得した位置情報とを関連付けて、待ち受け画像記憶部７０４にて記憶し（ステップＳ１１０６）、処理を終了する。
このようにすれば、第４の実施の形態において述べたように、携帯電話機が備えているデジタルカメラによって撮影することができる待ち受け画像に限定されず、通信ネットワーク７０９を介して待ち受け画像サーバ７１０から提供される様々な待ち受け画像を現在位置と関連付けて待ち受け画像表示させることができる。従って、待ち受け画像表示について携帯電話機７のユーザにより豊富な選択肢を提供することができる。
【０１５７】
［５−３］  第５の実施の形態に係る変形例
以上、本願発明の第５の実施の形態に基づいて本願発明を説明してきたが、本願発明は、上述の実施の形態に限定されないのは勿論であり、以下のような変形例を実施することができる。
（１）  上記第５の実施の形態においては、ユーザが液晶ディスプレイパネル７０３に表示されている候補画像データを待ち受け画像データとして採用すると、ＧＰＳモジュール７０６を用いて現在位置の位置情報を取得し、待ち受け画像記憶部７０４にて当該位置情報を前記待ち受け画像データに関連付けて記憶するとしたが、これに代えて、次のようにするとしても良い。
【０１５８】
すなわち、携帯電話機７は、待ち受け画像サーバ７１０から候補画像データを取得する際に、併せて、待ち受け画像サーバ７１０から位置情報を取得するとしても良い。
このようにすれば、例えば、当該候補画像データがデジタル写真画像データであるような場合には、携帯電話機７は、当該デジタル写真が撮影された場所の位置情報を待ち受け画像データに関連付けて記憶することができる。この他、携帯電話機７の現在位置以外の位置情報を、待ち受け画像データに関連付けて記憶すたい場合には、かかる変形例が有効である。
【０１５９】
（２）  また、待ち受け画像データに関連付けて記憶すべき位置情報を取得する方法として、上記第５の実施の形態の方法や上記変形例（１）の方法の他に、次のような方法を用いるとしても良い。
すなわち、待ち受け画像データに関連付けて記憶すべき位置情報をユーザに入力させるとしても良い。図１９は、待ち受け画像データに関連付けて記憶すべき位置情報をユーザに入力させる機能を備えた携帯電話機の主要な構成を表わす機能構成図である。
【０１６０】
図１９に示されるように、携帯電話機８は、制御部８００、操作パネル８０１、候補画像表示部８０２、液晶ディスプレイパネル８０３、地図画像表示部８０４、待ち受け画像記憶部８０５、地図画像取得部８０６、待ち受け画像取得部８０７、および、ネットワークＩ／Ｆ８０８を備えている。
また、ネットワークＩ／Ｆ８０８は、通信ネットワーク８０９を介して、地図画像サーバ８０１と待ち受け画像サーバ８１１とに接続されている。
【０１６１】
制御部８００は、操作パネル８０１によって、ユーザから、待ち受け画像を取得せよとの指示を受け付けると、上記第５の実施の形態におけるのと同様にして、待ち受け画像サーバ８１１から候補画像データを取得して、これを表示する。そして、ユーザから、表示されている候補画像データを待ち受け画像に採用するとの指示を受け付けると、地図画像表示部８０６に対して、液晶ディスプレイパネル８０３に表示すべき地図画像を取得するように指示する。
【０１６２】
地図画像取得部８０６は、制御部８００から前記の指示を受け付けると、ネットワークＩ／Ｆ８０８を用い、通信ネットワーク８０９を介して、地図画像サーバ８１０から世界地図の地図画像データを取得する。そして、地図画像取得部８０６は、当該地図画像データを制御部８００に渡す。
なお、地図画像サーバ８１０が提供する地図画像データにはそれぞれ位置情報が付与されている。地図画像取得部８０６は、地図画像サーバ８０１から地図画像データを取得する際に、併せて、当該地図画像データに付与されている位置情報を取得する。
【０１６３】
制御部８００は、地図画像取得部８０６から地図画像データを受け付けると、地図画像表示部８０４に当該地図画像データを渡して、表示するように指示する。地図画像表示部８０４は、制御部８００から地図画像データを受け付けると、液晶ディスプレイパネル８０３に世界地図を表示する。
液晶ディスプレイパネル８０３に表示される世界地図は、１から９の各数字に対応付けられた９つの領域に分割されている。また、操作パネル８０１は１から９までの数字に対応するキーを備えており、これらのキーのいずれかをユーザに押下させることによって、ユーザに位置指定したい領域を選択させる仕組みである。
【０１６４】
制御部８００は、操作パネル８０１から、ユーザが１から９のいずれかの数字に対応するキーを押下した旨の通知を受け付けると、押下されたキーに対応する数字に対応付けられた領域の拡大地図画像を取得するように地図画像取得部８０６に指示する。
地図画像取得部８０６は、制御部８００から前記の指示を受け付けると、地図画像サーバ８１０から、指定された領域の拡大地図に係る地図画像データを取得する。そして、地図画像取得部８０６は、取得した地図画像データを制御部８００に渡す。
【０１６５】
制御部８００は、地図画像取得部８０６から受け付けるた地図画像データを地図画像表示部８０４に渡して、表示するように指示する。地図画像表示部８０４は、制御部８００から受け付けるた地図画像データを液晶ディスプレイパネル８０３に世界地図を表示する。
液晶ディスプレイパネル８０３に表示される地図は、前述の世界地図と同様、１から９の各数字に対応付けられた９つの領域に分割されている。また、操作パネル８０１は１から９までの数字に対応するキーのいずれかをユーザに押下させることによって、領域を選択させる。
【０１６６】
ユーザは領域を選択する代わりに、位置情報に係る領域を決定することもできる。例えば、操作パネル８０１の数字０に対応するキーを押下することにより、表示中の地図画像データに対応する位置情報が指定されるとすれば良い。
制御部８００は、操作パネル８０１からユーザが領域を決定した旨の通知を受け付けると、液晶ディスプレイパネル８０３に表示中の地図画像データとユーザが選択した待ち受け画像データとを待ち受け画像記憶部８０５に渡して、記憶するように指示する。
【０１６７】
待ち受け画像記憶部８０５は、制御部８００から前記の指示を受け付けると、併せて受け付けた地図画像データを参照して、当該地図画像データに付与されている位置情報を取得する。そして、待ち受け画像記憶部８０５は、取得した位置情報と待ち受け画像データとを、例えば、図２に示したようなフォーマットに従って記憶する。
【０１６８】
待ち受け画像記憶部８０５に記憶されてた待ち受け画像データは、例えば、第１の実施の形態において述べたような方法で表示される。
このようにすれば、世界中のどの場所であっても、ユーザが自由にその位置を指定することによって、待ち受け画像に関連付ける位置情報を指定して、当該位置情報と待ち受け画像とを関連付けて記憶させることができる。
【０１６９】
［６］  変形例
以上、本願発明を実施の形態に基づいて説明してきたが、本願発明は、上述の実施の形態に限定されないのは勿論であり、以下のような変形例を実施することができる。
（１）  上記実施の形態においては、ＧＰＳシステムを用いて携帯電話機の現在位置情報を取得するとしたが、これに代えて、ＧＰＳシステム以外の方法を用いて携帯電話機の位置情報を取得するとしても良い。
【０１７０】
例えば、複数の無線基地局から発信される電波を同時に受信し、各無線基地局から送信される電波の伝搬時間差を測定することによって、各無線基地局と携帯端末間との間の距離を算出する。そして、算出した距離から三角測量の原理を用いて携帯電話機の位置を特定するとしても良い。
ＧＰＳシステムにおいては、建造物の多い環境や屋内では衛星からの電波を受信することができないので、測定誤差が大きくなったり、位置情報を取得できなくなったりするといった問題があるが、無線基地局からの電波を用いて位置情報を取得する場合には、無線基地局が設置されていさえすれば、かかる問題を生じない。
【０１７１】
また、上に代えて、無線基地局と携帯電話機との間でやり取りされる電波の強さ等を測定し、得られた測定値から無線基地局と携帯電話機との間の距離を類推して位置情報を測定するとしても良い。
この場合において、無線基地局や携帯電話機の周囲の地形や建造物などに起因する反射波を考慮して電波の強さ等の測定を行えば、無線基地局や携帯電話機の周囲に建造物などの障害物が多い場合でも、反射波による誤差を抑えることができる。
【０１７２】
上述のようにすれば、携帯電話機のより正確な位置情報を取得することができるので、誤った位置情報を取得した結果、携帯電話機の現在位置とまったく関係のない待ち受け画像が表示されるといった不都合を回避することができる。従って、ユーザにとってより有意義な待ち受け画像を携帯電話機に表示させることができる。
【０１７３】
（２）  上記実施の形態においては、一定の時間間隔で待ち受け画像の表示を更新するとしたが、これに代えて、次のようにするとしてもよい。
すなわち、タイマーにタイマー値を設定する際に、毎回同じタイマー値を設定するのに代えて、乱数を用いてタイマー値を決定し、決定したタイマー値をタイマーに設定するとしても良い。
【０１７４】
この場合において、当該乱数は、固定値、或いは、ユーザが設定した値を平均値とする乱数を用いるとしても良く。また、その分散値についても設定による値を用いとしても良い。
このようにすれば、待ち受け画像の表示が不定期に更新されるので、更に、待ち受け画像の表示を飽きのこないものとすることができる。
【０１７５】
また、携帯電話機の起動時に表示すべき待ち受け画像として、上述の実施の形態と同様にして現在位置に係る位置情報を取得して、待ち受け画像の表示を更新するとしても良い。また、起動時には、常に同じ待ち受け画像を表示するとしても良いし、当該同じが待ち受け画像は当該携帯電話機のユーザの設定に係る待ち受け画像であるとしても良い。
【０１７６】
また、携帯電話機の現在位置に同程度に関係の深い待ち受け画像が複数存在しているような場合、携帯電話機の移動の仕方によっては、もっとも関係の深い待ち受け画像が頻繁に変化する。従って、かかる場合には、待ち受け画像の表示を更新する時間間隔を短くすれば、より妥当な待ち受け画像を表示することができるし、見た目にも楽しい。
【０１７７】
例えば、待ち受け画像が撮影された位置と携帯電話機の現在位置との間の距離が近いほど関係が深いと判定する場合においては、携帯電話機の現在位置にもっとも近い場所で撮影された待ち受け画像と、次に近い場所で撮影された待ち受け画像との間で、撮影された場所どうしの距離の大きさに応じて、待ち受け画像の表示を更新する時間を制御するとしても良い。
【０１７８】
当該距離が大きいほど、表示中の待ち受け画像が別の待ち受け画像に置き換えられる可能性が低く、また、近いほどこのような可能性が大きくなるので、かかる制御を実行することによって、より妥当な待ち受け画像を表示することができる。
また、携帯電話機の移動速度に応じて、待ち受け画像の表示を更新する時間間隔を制御するとしても良い。すなわち、携帯電話機の移動速度が大きいほど、携帯電話機の現在位置にもっとも関係の深い待ち受け画像が変化する可能性が大きいと考えられる。
【０１７９】
したがって、前回待ち受け画像の表示を更新してから今回待ち受け画像の表示を更新するまでの間の移動距離と、前回待ち受け画像の表示を更新してから今回待ち受け画像の表示を更新するまでの移動時間とを算出して、算出した移動距離を同じく算出した移動時間で除算して移動速度を求める必要がある。
そして、求めた移動速度の大きさに応じて、次に待ち受け画像の表示を更新するまでの時間を決定すれば良い。この場合において、携帯電話機の移動速度が大きいほど、待ち受け画像の表示を次に更新するまでに時間を短くすることとし、携帯電話機の移動速度が小さいほど、待ち受け画像の表示を次に更新するまでに時間を長くすることとすれば良い。
【０１８０】
なせならば、携帯電話機の移動速度が大きいほど、携帯電話機の現在位置にもっとも関係の深い待ち受け画像が変化する可能性が大きいからであり、携帯電話機の移動速度が小さいほど、携帯電話機の現在位置にもっとも関係の深い待ち受け画像が変化し難い可能性が大きいからである。
（３）  上記実施の形態においては、本願発明をもっぱら携帯電話機に適用する場合について説明したが、本願発明の適用範囲がこれに限定されないのは言うまでも無く、ＰＤＡ（personal data assistance）やＰＣ（personal computer）に適用するとしても良い。
【０１８１】
この場合、前記の待ち受け画像は、例えば、所謂壁紙としてＰＤＡやＰＣのスクリーンに表示されるとしも良いし、或いは、所謂スクリーンセイバーとして表示されるとしても良い。ただし、本願発明の性質上、前記ＰＣは移動可能であることが必要である。なぜなら、移動可能でなければ、位置情報に基づいて待ち受け画像を変更する機会が無くなるからである。
【０１８２】
（４）  上記実施の形態においては、待ち受け画像を表示する際に、待ち受け画像のみを表示する場合と、待ち受け画像と方向指示画像とを合成した合成画像を表示する場合とについて説明したが、本願発明がこれに限定されないのは言うまでも無く、次のようにするとしても良い。
すなわち、上記実施の形態において述べたように、本願発明においては、表示すべき待ち受け画像を選択するために、携帯電話機の現在位置と待ち受け画像に関連付けられた位置との間の距離を算出する。この算出した距離を待ち受け画像と併せて表示するとしても良い。
【０１８３】
また、上述のように、待ち受け画像、方向指示画像、および、距離情報を、併せて待ち受け画像表示するとしても良い。
このようにすれば、待ち受け画像に関連付けられた位置までの距離が一目瞭然となるし、更に、方向指示画像を併せて表示する場合には、現在位置からどの方向にどの程度離れた場所が目的とする位置であるかが簡単に理解できるので、その場所へ行きたい場合や、逆に、その場所へ行きたくない場合には、非常に便利である。
【０１８４】
（５）  上記実施の形態においては、携帯電話機の現在位置から、表示中の待ち受け画像に関連付けられた位置へ向かう方向を表示するために、待ち受け画像に方向指示画像を合成した合成画像を表示するとしたが、これに代えて、次のようにするとしても良い。
すなわち、携帯電話機の現在位置から、表示中の待ち受け画像に関連付けられた位置へ向かう方向を表示する文字列を待ち受け画像に合成した合成画像を表示するとしても良い。
【０１８５】
例えば、目的とする位置が携帯電話機の現在位置から北北西の方向にある場合には「ＮＮＷ」という文字列を待ち受け画像に合成した合成画像を表示したり、東南東の方向にある場合には「ＥＳＥ」という文字列を待ち受け画像に合成した合成画像を表示するとしても良い。
また、例えば、目的とする位置が携帯電話機の現在位置から１０時の方向にある場合には「１０：００」という文字列を待ち受け画像に合成した合成画像を表示したり、８時の方向にある場合には「８時」という文字列を待ち受け画像に合成した合成画像を表示するとしても良い。
【０１８６】
なお、ここで、合成画像とは、２つの画像を重ね合わせた画像の他、２つの画像を並置する画像をも含むものとする。
このようにしても、上記実施の形態におけるのと同様の効果を奏させしめる事ができる。
（６）  上記実施の形態においては、携帯電話機の現在位置に応じて、待ち受け画像表示するべき待ち受け画像データを切り替えるとしたが、本願発明がこれに限定されないのは言うまでもなく、これに代えて、次のようにするとしても良い。
【０１８７】
すなわち、待ち受け画像表示する待ち受け画像データをユーザに指定させるとともに、当該待ち受け画像データを待ち受け画像表示するにあたって、携帯電話機の現在位置から、ユーザが指定した待ち受け画像データに関連付けられた位置までの距離と方向とを併せて表示するとしても良い。
この場合においては、前記距離と方向の表示は、一定周期若しくは不定期に更新される。なお、当該更新の時間間隔は短い方が好ましい。
【０１８８】
このようにすれば、携帯電話機のユーザは、携帯電話機のもっとも近傍に存在する位置に関連付けられている待ち受け画像データが変化した場合であっても、自己の指定に係る待ち受け画像データを待ち受け画像表示し続けることができる上に、更に、指定した待ち受け画像データに関連付けられている位置への距離と方向とが随時、更新表示されるので、当該位置へ向かおうとする場合に便利である。
【０１８９】
【発明の効果】
以上説明したように、本願発明によれば、携帯電話機に複数の待ち受け画像データを記憶させ、記憶した複数の待ち受け画像データの中から携帯電話機の現在位置にもっとも関連の深い待ち受け画像データを表示するので、ユーザにとってより有意義な、従って、飽きのこない待ち受け画像を表示する携帯電話機、および、飽きのこない待ち受け画像を携帯電話機に表示させる待ち受け画像表示方法を提供することができる。
【０１９０】
したがって、例えば、本願発明に係る携帯電話機のユーザは、待ち受け画像を見ることによって、それを撮影したときの思い出を振り返ることができる。また、本願発明を実施するにあたって、ユーザは待ち受け画像を自ら整理する必要が無いので、整理されていない多くの待ち受け画像を、何らの手間もかけることなく、有意義に楽しむことができる。
【図面の簡単な説明】
【図１】本願発明の第１の実施の形態に係る携帯電話機について、待ち受け画像の表示に係る主要な機能構成を示す機能ブロック図である。
【図２】本願発明の第１の実施の形態に係る待ち受け画像記憶部１０５が、待ち受け画像、並びに待ち受け画像に係る緯度、経度を記憶するためのデータ構造を示す図であって、（ａ）はデータ構造そのものを表わし、（ｂ）は、各フィールドにデータを格納した具体例を表わしている。
【図３】本願発明の第１の実施の形態に係る携帯電話機１が、待ち受け画像の表示に関連して、実行する処理の流れを示すフローチャートである。
【図４】本願発明の第１の実施の形態に係る携帯電話機１が位置情報取得部１０２にて現在位置を取得する際に実行する処理（ステップＳ１０３）の流れを示すフローチャートである。
【図５】本願発明の第１の実施の形態に係る携帯電話機１が待ち受け画像検索部１０３にて待ち受け画像を検索する際に実行する処理（ステップＳ１０４）の流れを示すフローチャートである。
【図６】本願発明の第１の実施の形態に係る距離算出部１０４が、２地点間の距離を算出するために実行する処理の流れを表わすフローチャートである。
【図７】本願発明の第１の実施の形態に係る携帯電話機１が待ち受け画像表示部１０６にて待ち受け画像を液晶ディスプレパネル１０７に表示する際に実行する処理（ステップＳ１０５）の流れを示すフローチャートである。
【図８】本願発明の第１の実施の形態の変形例（１）に係る携帯電話機を構成する機能ブロックを示す機能構成図である。
【図９】Ｅｘｉｆ形式にて付加することができるＧＰＳ属性情報を示す図である。
【図１０】本願発明の第３の実施の形態に係る携帯電話機について、待ち受け画像表示に係る主要な機能構成を示す機能ブロック図である。
【図１１】本願発明の第３の実施の形態に係る方向指示画像記憶部４１０に記憶されている方向指示画像を例示する図である。
【図１２】本願発明の第３の実施の形態に係る携帯電話機４が待ち受け画像の表示を更新するために実行する処理の流れを表わすフローチャートである。
【図１３】本願発明の第３の実施の形態に係る携帯電話機４が実行する方向情報を取得する処理（ステップＳ６０３）の流れを表すフローチャートである。
【図１４】本願発明の第３の実施の形態に係る携帯電話機４が実行する方向表示を更新する処理（ステップＳ６０６）の流れを表すフローチャートである。
【図１５】本願発明の第４の実施の形態に係る携帯電話機について、待ち受け画像の作成に係る主要な機能構成を示す機能ブロック図である。
【図１６】本願発明の第４の実施の形態に係る携帯電話機５が新たな待ち受け画像を作成するために実行する処理の流れを表わすフローチャートである。
【図１７】本願発明の第５の実施の形態に係る携帯電話機について、待ち受け画像データの取得に係る主要な機能構成を示す機能ブロック図である。
【図１８】本願発明の第５の実施の形態に係る携帯電話機７が新たな待ち受け画像を取得するために実行する処理の流れを表わすフローチャートである。
【図１９】本願発明の第５の実施の形態の変形例（２）に係る携帯電話機であって、待ち受け画像データに関連付けて記憶すべき位置情報をユーザに入力させる機能を備えた携帯電話機の主要な構成を表わす機能構成図である。
【符号の説明】
１、６、７、８…………………………………携帯電話機
１００、４０１…………………………………タイマー
１０１……………………………………………切り替え指示部
１０２、４０２、６０２、７０５……………位置情報取得部
１０３、４０８…………………………………待ち受け画像検索部
１０４、４０７…………………………………距離算出部
１０５、４０９、６０７、７０４、８０５…待ち受け画像記憶部
１０６、４１１…………………………………待ち受け画像表示部
１０７、４１２、７０３、８０３……………液晶ディスプレイパネル
２０………………………………………………ヘッダ部
２００……………………………………………待ち受け画像サイズフィールド
２０１……………………………………………緯度フィールド
２０１０…………………………………………南北フラグ・サブフィールド
２０１１、２０２１……………………………度データ・サブフィールド
２０１２、２０２２……………………………分データ・サブフィールド
２０２……………………………………………経度フィールド
２０２０…………………………………………東西フラグ・サブフィールド
２０３……………………………………………ネクスト・ポインタ・フィールド
２１………………………………………………データ部
４００、６００、７００………………………制御部
４０３、６０２、７０６………………………ＧＰＳモジュール
４０４……………………………………………方向算出部
４０５……………………………………………方位情報取得部
４０６……………………………………………方位センサー
４１０……………………………………………方向指示画像記憶部
５００〜５０７…………………………………方向指示画像
５１０……………………………………………方向測定不可表示画像
６０３……………………………………………デジタル画像撮影部
６０４……………………………………………デジタルカメラ・モジュール
６０５、７０１、８０１………………………操作パネル
６０６……………………………………………待ち受け画像作成部
７０２、８０２…………………………………候補画像表示部
７０７、８０７…………………………………待ち受け画像取得部
７０８、８０８…………………………………ネットワークＩ／Ｆ
７０９、８０９…………………………………通信ネットワーク
７１０、８１１…………………………………待ち受け画像サーバ
８０４……………………………………………地図画像表示部
８０６……………………………………………地図画像取得部
８１０……………………………………………地図画像サーバ
【図１】
0003711118.tif 000012
【図２】
0003711118.tif 000013
【図３】
0003711118.tif 000014
【図４】
0003711118.tif 000015
【図５】
0003711118.tif 000016
【図６】
0003711118.tif 000017
【図７】
0003711118.tif 000018
【図８】
0003711118.tif 000019
【図９】
0003711118.tif 000020
【図１０】
0003711118.tif 000021
【図１１】
0003711118.tif 000022
【図１２】
0003711118.tif 000023
【図１３】
0003711118.tif 000024
【図１４】
0003711118.tif 000025
【図１５】
0003711118.tif 000026
【図１６】
0003711118.tif 000027
【図１７】
0003711118.tif 000028
【図１８】
0003711118.tif 000029
【図１９】
0003711118.tif 000030